(57)【要約】本発明は、パクリタキセルを溶解する傾向が高い、パクリタキセル可溶化剤とその製剤に関する。本発明の製剤は、不利な賦形剤であるクレモフォール（登録商標）ＥＬの必要性を減少するか、あるいは不要にする。本発明の製剤は、パクリタキセル、その誘導体、または薬剤として許容される塩またはその誘導体を、それを必要とする患者に投与するために有用である。本発明の製剤は、ヒトを含む哺乳類への非経口、経口、局所、または経皮投与、特に静脈内投与に適する。【特許請求の範囲】
【請求項１】
哺乳類投与用の医薬品製剤であって、前記製剤が、
（ａ）パクリタキセル、その誘導体、または薬剤として許容される塩、および  （ｂ）１つ以上のＰＥＧ−グリセリル脂肪酸エステル、第四級アンモニウム塩またはＰＥＧ−脂肪族アルコール、
を含む医薬品製剤。
【請求項２】
前記製剤がクレモフォールを含まない、請求項１に記載の医薬品製剤。
【請求項３】
前記医薬品製剤がさらにその他の有効成分を含む、請求項１に記載の医薬品製剤。
【請求項４】
前記その他の有効成分が、シスプラチン、カルボプラチン、タモキシフェン、エピルビシン、ロイプロリド、ビカルタミド、ゴセレリンインプラント、イリノテカン、ゲムチタビン、またはサルグラモスチムまたは薬剤として許容されるそれらの塩である、請求項３に記載の医薬品製剤。
【請求項５】
前記製剤が水性媒体中での溶解に適する、請求項１に記載の医薬品製剤。
【請求項６】
前記製剤の剤形が、固体、半流動体、ゲル、懸濁液、または乳濁液である、請求項１に記載の医薬品製剤。
【請求項７】
前記製剤の剤形が液体である、請求項１に記載の医薬品製剤。
【請求項８】
前記製剤の剤形が濃縮液である、請求項１に記載の医薬品製剤。
【請求項９】
前記製剤がさらにエタノールを含む、請求項８に記載の医薬品製剤。
【請求項１０】
前記固体が凍結乾燥された固体である、請求項６に記載の医薬品製剤。
【請求項１１】
前記製剤がさらに水性媒体を含む、請求項１に記載の医薬品製剤。
【請求項１２】
前記製剤が非経口投与に適する、請求項１１に記載の医薬品製剤。
【請求項１３】
前記製剤が無菌である、請求項１に記載の医薬品製剤。
【請求項１４】
前記製剤の剤形が一回量（ｓｉｎｇｌｅ−ｕｎｉｔ−ｄｏｓａｇｅ）である、請求項１に記載の医薬品製剤。
【請求項１５】
前記製剤の剤形が複数回量（ｍｕｌｔｉ−ｕｎｉｔ−ｄｏｓａｇｅ）である、請求項１に記載の医薬品製剤。
【請求項１６】
前記製剤がさらにその他の賦形剤を含む、請求項１に記載の医薬品製剤。
【請求項１７】
前記第四アンモニウム塩が、塩化ベンザルコニウム、塩化ベンゼトニウム、あるいはセトリミドであり、前記ＰＥＧ−グリセリル脂肪酸エステルが、モノオレイン酸ＰＥＧ−グリセリルまたはモノラウリン酸ＰＥＧ−グリセリルであり、ならびに前記ＰＥＧ−脂肪族アルコールが、オクトキシノール、オレス、またはラウレスである、請求項１に記載の医薬品製剤。
【請求項１８】
前記オクトキシノールがオクトキシノール−９、ならびに前記ラウレスがラウレス−２３である、請求項１７に記載の医薬品製剤。
【請求項１９】
前記パクリタキセル、前記誘導体、または前記薬剤として許容される塩の単位重量当たり、前記ＰＥＧ−脂肪族アルコールまたは前記ＰＥＧ−グリセリル脂肪酸エステルの単位重量が５〜２００の範囲である、請求項１に記載の医薬品製剤。
【請求項２０】
前記パクリタキセル、前記誘導体、または前記薬剤として許容される塩の単位重量当たり、前記第四級アンモニウム塩の単位重量が０．０１〜１の範囲である、請求項１に記載の医薬品製剤。
【請求項２１】
前記ＰＥＧ−脂肪族アルコールまたは前記ＰＥＧ−グリセリル脂肪酸エステルの濃度が、２０重量％〜９９重量％の範囲である、請求項８に記載の医薬品製剤。
【請求項２２】
前記ＰＥＧ−脂肪族アルコールまたは前記ＰＥＧ−グリセリル脂肪酸エステルの濃度が、３ｍｇ／ｍｌ〜１２０ｍｇ／ｍｌの範囲である、請求項１１に記載の医薬品製剤。
【請求項２３】
前記第四アンモニウム塩の濃度が０．００４８ｍｇ／ｍｌ〜０．３５ｍｇ／ｍｌの範囲である、請求項１１に記載の医薬品製剤。
【請求項２４】
哺乳類投与用の医薬品製剤であって、前記製剤が、
（ａ）パクリタキセル、その誘導体、または薬剤として許容される塩、および  （ｂ）２つ以上のＰＥＧ−ビタミンＥ、第四級アンモニウム塩、ＰＥＧ−モノ脂肪酸エステル、ＰＥＧ−グリセリル脂肪酸エステル、ポリソルベート、またはＰＥＧ−脂肪族アルコール、
を含む医薬品製剤。
【請求項２５】
前記製剤がクレモフォールを含まない、請求項２４に記載の医薬品製剤。
【請求項２６】
前記製剤が、前記ＰＥＧ−ビタミンＥと１つ以上の前記ＰＥＧ−モノ脂肪酸エステル、前記グリセリル脂肪酸エステル、前記ポリソルベート、または前記ＰＥＧ−脂肪族アルコールを含む、請求項２４に記載の医薬品製剤。
【請求項２７】
前記製剤が、前記第四アンモニウム塩と前記ポリソルベートまたは前記ＰＥＧ−脂肪族アルコールの１つまたは両方を含む、請求項２４に記載の医薬品製剤。
【請求項２８】
前記製剤が、前記ＰＥＧ−モノ脂肪酸エステルと１つ以上の前記ＰＥＧ−ビタミンＥ、前記ＰＥＧ−グリセリル脂肪酸エステル、前記ポリソルベート、または前記ＰＥＧ−脂肪族アルコールを含む、請求項２４に記載の医薬品製剤。
【請求項２９】
前記製剤が、前記ＰＥＧ−グリセリル脂肪酸エステルと１つ以上の前記ＰＥＧ−ビタミンＥ、前記ＰＥＧ−モノ脂肪酸エステル、または前記ポリソルベートを含む、請求項２４に記載の医薬品製剤。
【請求項３０】
前記製剤が、前記ポリソルベートと１つ以上の前記第四級アンモニウム塩、前記ＰＥＧ−モノ脂肪酸エステル、前記ＰＥＧ−グリセリル脂肪酸エステル、または前記ＰＥＧ−脂肪族アルコールを含む、請求項２４に記載の医薬品製剤。
【請求項３１】
前記製剤が、前記ＰＥＧ−脂肪族アルコールと１つ以上の前記ＰＥＧ−ビタミンＥ、第四級アンモニウム塩、前記ＰＥＧ−モノ脂肪酸エステル、または前記ポリソルベートを含む、請求項２４に記載の医薬品製剤。
【請求項３２】
前記製剤がさらにその他の有効成分を含む、請求項２４に記載の医薬品製剤。
【請求項３３】
前記その他の有効成分が、シスプラチン、カルボプラチン、タモキシフェン、エピルビシン、ロイプロリド、ビカルタミド、ゴセレリンインプラント、イリノテカン、ゲムチタビン、またはサルグラモスチムまたは薬剤として許容されるそれらの塩である、請求項３２に記載の医薬品製剤。
【請求項３４】
前記製剤が水性媒体中での溶解に適する、請求項２４に記載の医薬品製剤。
【請求項３５】
前記製剤の剤形が、固体、半流動体、ゲル、懸濁液、または乳濁液である、請求項２４に記載の医薬品製剤。
【請求項３６】
前記製剤の剤形が液体である、請求項２４に記載の医薬品製剤。
【請求項３７】
前記製剤の剤形が濃縮液である、請求項２４に記載の医薬品製剤。
【請求項３８】
前記製剤がさらにエタノールを含む、請求項３７に記載の医薬品製剤。
【請求項３９】
前記固体が凍結乾燥された固体である、請求項３５に記載の医薬品製剤。
【請求項４０】
前記製剤がさらに水性媒体を含む、請求項２４に記載の医薬品製剤。
【請求項４１】
前記製剤が非経口投与に適する、請求項４０に記載の医薬品製剤。
【請求項４２】
前記製剤が無菌である、請求項２４に記載の医薬品製剤。
【請求項４３】
前記製剤の剤形が一回量（ｓｉｎｇｌｅ−ｕｎｉｔ−ｄｏｓａｇｅ）である、請求項２４に記載の医薬品製剤。
【請求項４４】
前記製剤の剤形が複数回量（ｍｕｌｔｉ−ｕｎｉｔ−ｄｏｓａｇｅ）である、請求項２４に記載の医薬品製剤。
【請求項４５】
前記製剤がさらにその他の賦形剤を含む、請求項２４に記載の医薬品製剤。
【請求項４６】
前記ＰＥＧ−ビタミンＥが、トコフェロソランであり、
前記第四級アンモニウム塩が、塩化ベンザルコニウム、塩化ベンゼトニウム、またはセトリミドであり、
前記ＰＥＧ−モノ脂肪酸エステルが、モノオレイン酸ＰＥＧ−２０、モノラウリン酸ＰＥＧ−２０、またはモノステアリン酸ＰＥＧ−２０であり、
前記ＰＥＧ−グリセリル脂肪酸エステルが、モノオレイン酸ＰＥＧ−２０グリセリル、モノステアリン酸ＰＥＧ−２０グリセリル、またはモノラウリン酸ＰＥＧ−２０グリセリルであり、
前記ポリソルベートが、ポリソルベート２０またはポリソルベート８０であり、ならびに
前記ＰＥＧ−脂肪族アルコールが、オクトキシノール、オレス、またはラウレスである、
請求項２４に記載の医薬品製剤。
【請求項４７】
前記オクトキシノールがオクトキシノール−９、ならびに前記ラウレスがラウレス−２３である、請求項４６に記載の医薬品製剤。
【請求項４８】
前記パクリタキセル、前記誘導体、または前記薬剤として許容される塩の単位重量当たり、前記ＰＥＧ−ビタミンＥ、前記ＰＥＧ−モノ脂肪酸エステル、前記ＰＥＧ−グリセリル脂肪酸エステル、前記ポリソルベート、または前記ＰＥＧ−脂肪族アルコールの単位重量が５〜２００の範囲である、請求項２４に記載の医薬品製剤。
【請求項４９】
前記パクリタキセル、前記誘導体、または前記薬剤として許容される塩の単位重量当たり、前記第四級アンモニウム塩の単位重量が０．０１〜１の範囲である、請求項２４に記載の医薬品製剤。
【請求項５０】
前記ＰＥＧ−ビタミンＥ、前記ＰＥＧ−モノ脂肪酸エステル、前記ＰＥＧ−グリセリル脂肪酸エステル、前記ポリソルベート、または前記ＰＥＧ−脂肪族アルコールの濃度が、３ｍｇ／ｍｌ〜１２０ｍｇ／ｍｌの範囲である、請求項４０に記載の医薬品製剤。
【請求項５１】
前記第四級アンモニウム塩の濃度が０．００４８ｍｇ／ｍｌ〜０．３５ｍｇ／ｍｌの範囲である、請求項４０に記載の医薬品製剤。
【請求項５２】
前記ＰＥＧ−ビタミンＥ、前記ＰＥＧ−モノ脂肪酸エステル、前記ＰＥＧ−グリセリル脂肪酸エステル、前記ポリソルベート、または前記ＰＥＧ−脂肪族アルコールの２つ以上の合計濃度が、２０重量％〜９９重量％の範囲である、請求項３７に記載の医薬品製剤。
【請求項５３】
哺乳類投与用の医薬品製剤であって、前記製剤が、
（ａ）パクリタキセル、その誘導体、または薬剤として許容される塩、および  （ｂ）ＰＥＧ−４００と１つ以上のＰＥＧ−ビタミンＥ、第四級アンモニウム塩、ＰＥＧ−モノ脂肪酸エステル、ＰＥＧ−グリセリル脂肪酸エステル、ポリソルベート、あるいはＰＥＧ−脂肪族アルコール、
を含む医薬品製剤。
【請求項５４】
前記製剤がクレモフォールを含まない、請求項５３に記載の医薬品製剤。
【請求項５５】
前記医薬品製剤がさらにその他の有効成分を含む、請求項５３に記載の医薬品製剤。
【請求項５６】
前記その他の有効成分が、シスプラチン、カルボプラチン、タモキシフェン、エピルビシン、ロイプロリド、ビカルタミド、ゴセレリンインプラント、イリノテカン、ゲムチタビン、またはサルグラモスチムまたは薬剤として許容されるそれらの塩である、請求項５５に記載の医薬品製剤。
【請求項５７】
前記製剤が水性媒体中での溶解に適する、請求項５３に記載の医薬品製剤。
【請求項５８】
前記製剤の剤形が、固体、半流動体、ゲル、懸濁液、または乳濁液である、請求項５３に記載の医薬品製剤。
【請求項５９】
前記製剤の剤形が液体である、請求項５３に記載の医薬品製剤。
【請求項６０】
前記製剤の剤形が濃縮液である、請求項５３に記載の医薬品製剤。
【請求項６１】
前記製剤がさらにエタノールを含む、請求項６０に記載の医薬品製剤。
【請求項６２】
前記固体が凍結乾燥された固体である、請求項５８に記載の医薬品製剤。
【請求項６３】
前記製剤がさらに水性媒体を含む、請求項５３に記載の医薬品製剤。
【請求項６４】
前記製剤が非経口投与に適する、請求項６３に記載の医薬品製剤。
【請求項６５】
前記製剤が無菌である、請求項５３に記載の医薬品製剤。
【請求項６６】
前記製剤の剤形が一回量（ｓｉｎｇｌｅ−ｕｎｉｔ−ｄｏｓａｇｅ）である、請求項５３に記載の医薬品製剤。
【請求項６７】
前記製剤の剤形が複数回量（ｍｕｌｔｉ−ｕｎｉｔ−ｄｏｓａｇｅ）である、請求項５３に記載の医薬品製剤。
【請求項６８】
前記製剤がさらにその他の賦形剤を含む、請求項５３に記載の医薬品製剤。
【請求項６９】
前記ＰＥＧ−ビタミンＥが、トコフェロソランであり、
前記第四級アンモニウム塩が、塩化ベンザルコニウム、塩化ベンゼトニウム、またはセトリミドであり、
前記ＰＥＧ−モノ脂肪酸エステルが、モノオレイン酸ＰＥＧ−２０、モノラウリン酸ＰＥＧ−２０、またはモノステアリン酸ＰＥＧ−２０であり、
前記ＰＥＧ−グリセリル脂肪酸エステルが、モノオレイン酸ＰＥＧ−２０グリセリル、モノステアリン酸ＰＥＧ−２０グリセリル、またはモノラウリン酸ＰＥＧ−２０グリセリルであり、
前記ポリソルベートが、ポリソルベート２０またはポリソルベート８０であり、ならびに
前記ＰＥＧ−脂肪族アルコールが、オクトキシノール、オレス、またはラウレスである、
請求項５３に記載の医薬品製剤。
【請求項７０】
前記オクトキシノールがオクトキシノール−９、ならびに前記ラウレスがラウレス−２３である、請求項６９に記載の医薬品製剤。
【請求項７１】
哺乳類においてガンを治療する方法であって、前記方法が、前記哺乳類に、
（ａ）パクリタキセル、その誘導体、または薬剤として許容される塩、ならびに
（ｂ）１つ以上のＰＥＧ−グリセリル脂肪酸エステル、第四級アンモニウム塩またはＰＥＧ−脂肪族アルコール、
を含む治療有効量の医薬品製剤を投与することを含む方法。
【請求項７２】
前記製剤がクレモフォールを含まない、請求項７１に記載の方法。
【請求項７３】
前記製剤がその他の有効成分を含む、請求項７１に記載の方法。
【請求項７４】
前記その他の有効成分が、シスプラチン、カルボプラチン、タモキシフェン、エピルビシン、ロイプロリド、ビカルタミド、ゴセレリンインプラント、イリノテカン、ゲムチタビン、またはサルグラモスチムまたは薬剤として許容されるそれらの塩である、請求項７３に記載の方法。
【請求項７５】
前記製剤が水性媒体中での溶解に適する、請求項７１に記載の方法。
【請求項７６】
前記製剤の剤形が、固体、半流動体、ゲル、懸濁液、または乳濁液である、請求項７１に記載の方法。
【請求項７７】
前記製剤の剤形が液体である、請求項７１に記載の方法。
【請求項７８】
前記製剤の剤形が濃縮液である、請求項７１に記載の方法。
【請求項７９】
前記製剤がエタノールを含む、請求項７８に記載の方法。
【請求項８０】
前記固体が凍結乾燥された固体である、請求項７６に記載の方法。
【請求項８１】
前記製剤が水性媒体を含む、請求項７１に記載の方法。
【請求項８２】
前記製剤が非経口的に投与される、請求項８１に記載の方法。
【請求項８３】
前記製剤の剤形が一回量である、請求項７１に記載の方法。
【請求項８４】
前記製剤の剤形が複数回量である、請求項７１に記載の方法。
【請求項８５】
前記哺乳類がヒトである、請求項７１に記載の方法。
【請求項８６】
前記製剤が無菌の剤形である、請求項７１に記載の方法。
【請求項８７】
前記製剤がその他の賦形剤を含む、請求項７１に記載の方法。
【請求項８８】
前記第四アンモニウム塩が、塩化ベンザルコニウム、塩化ベンゼトニウム、あるいはセトリミドであり、前記ＰＥＧ−グリセリル脂肪酸エステルは、モノオレイン酸ＰＥＧ−グリセリルまたはモノラウリン酸ＰＥＧ−グリセリルであり、ならびに前記ＰＥＧ−脂肪族アルコールは、オクトキシノール、オレス、またはラウレスである、請求項７１に記載の方法。
【請求項８９】
前記オクトキシノールがオクトキシノール−９、ならびに前記ラウレスがラウレス−２３である、請求項８８に記載の方法。
【請求項９０】
前記パクリタキセル、前記誘導体、または前記薬剤として許容される塩の単位重量当たり、前記ＰＥＧ−脂肪族アルコールまたは前記ＰＥＧ−グリセリル脂肪酸エステルの単位重量が５〜２００の範囲である、請求項７１に記載の方法。
【請求項９１】
前記パクリタキセル、前記誘導体、または前記薬剤として許容される塩の単位重量当たり、前記第四級アンモニウム塩の単位重量が０．０１〜１の範囲である、請求項７１に記載の方法。
【請求項９２】
前記ＰＥＧ−脂肪族アルコールおよび前記ＰＥＧ−グリセリル脂肪酸エステルの濃度が、３ｍｇ／ｍｌ〜１２０ｍｇ／ｍｌの範囲である、請求項８１に記載の方法。
【請求項９３】
前記第四アンモニウム塩の濃度が０．００４８ｍｇ／ｍｌ〜０．３５ｍｇ／ｍｌの範囲である、請求項８１に記載の方法。
【請求項９４】
前記ＰＥＧ−脂肪族アルコールまたは前記ＰＥＧ−グリセリル脂肪酸エステルの濃度が、２０重量％〜９９重量％の範囲である、請求項７８に記載の方法。
【請求項９５】
哺乳類においてガンを治療する方法であって、前記方法が、前記哺乳類に、
（ａ）パクリタキセル、その誘導体、または薬剤として許容される塩、および  （ｂ）２つ以上のＰＥＧ−ビタミンＥ、第四級アンモニウム塩、ＰＥＧ−モノ脂肪酸エステル、ポリソルベート、あるいはＰＥＧ−脂肪族アルコール、
を含む医薬品製剤を治療有効量投与することを含む方法。
【請求項９６】
前記製剤がクレモフォールを含まない、請求項９５に記載の方法。
【請求項９７】
前記医薬品製剤が、前記ＰＥＧ−ビタミンＥと１つ以上の前記ＰＥＧ−モノ脂肪酸エステル、前記ＰＥＧ−グリセリル脂肪酸エステル、前記ポリソルベート、または前記ＰＥＧ−脂肪族アルコールを含む、請求項９５に記載の方法。
【請求項９８】
前記医薬品製剤が、前記第四アンモニウム塩と前記ポリソルベートまたは前記ＰＥＧ−脂肪族アルコールの１つまたは両方を含む、請求項９５に記載の方法。
【請求項９９】
前記医薬品製剤が、前記ＰＥＧ−モノ脂肪酸エステルと１つ以上の前記ＰＥＧ−ビタミンＥ、前記ＰＥＧ−グリセリル脂肪酸エステル、前記ポリソルベート、または前記ＰＥＧ−脂肪族アルコールを含む、請求項９５に記載の方法。
【請求項１００】
前記医薬品製剤が、前記ＰＥＧ−グリセリル脂肪酸エステルと１つ以上の前記ＰＥＧ−ビタミンＥ、前記ＰＥＧ−モノ脂肪酸エステル、または前記ポリソルベートを含む、請求項９５に記載の方法。
【請求項１０１】
前記医薬品製剤が、前記ポリソルベートと１つ以上の前記第四級アンモニウム塩、前記ＰＥＧ−モノ脂肪酸エステル、前記ＰＥＧ−グリセリル脂肪酸エステル、または前記ＰＥＧ−脂肪族アルコールを含む、請求項９５に記載の方法。
【請求項１０２】
前記医薬品製剤が、前記脂肪族アルコールと１つ以上の前記ＰＥＧ−ビタミンＥ、第四級アンモニウム塩、前記ＰＥＧ−モノ脂肪酸エステル、または前記ポリソルベートを含む、請求項９５に記載の方法。
【請求項１０３】
前記製剤がその他の有効成分を含む、請求項９５に記載の方法。
【請求項１０４】
前記その他の有効成分が、シスプラチン、カルボプラチン、タモキシフェン、エピルビシン、ロイプロリド、ビカルタミド、ゴセレリンインプラント、イリノテカン、ゲムチタビン、またはサルグラモスチムまたは薬剤として許容されるそれらの塩である、請求項１０３に記載の方法。
【請求項１０５】
前記製剤が水性媒体中での溶解に適する、請求項９５に記載の方法。
【請求項１０６】
前記製剤の剤形が、固体、半流動体、ゲル、懸濁液、または乳濁液である、請求項９５に記載の方法。
【請求項１０７】
前記製剤の剤形が液体である、請求項９５に記載の方法。
【請求項１０８】
前記製剤の剤形が濃縮液である、請求項９５に記載の方法。
【請求項１０９】
前記製剤がエタノールを含む、請求項１０８に記載の方法。
【請求項１１０】
前記固体が凍結乾燥された固体である、請求項１０６に記載の方法。
【請求項１１１】
前記製剤が水性媒体を含む、請求項９５に記載の方法。
【請求項１１２】
前記製剤が非経口的に投与される、請求項１１１に記載の方法。
【請求項１１３】
前記製剤の剤形が一回量である、請求項９５に記載の方法。
【請求項１１４】
前記製剤の剤形が複数回量である、請求項９５に記載の方法。
【請求項１１５】
前記哺乳類がヒトである、請求項９５に記載の方法。
【請求項１１６】
前記製剤が無菌の剤形である、請求項９５に記載の方法。
【請求項１１７】
前記製剤がその他の賦形剤を含む、請求項９５に記載の方法。
【請求項１１８】
前記ＰＥＧ−ビタミンＥが、トコフェロソランであり、
前記第四級アンモニウム塩が、塩化ベンザルコニウム、塩化ベンゼトニウム、またはセトリミドであり、
前記ＰＥＧ−モノ脂肪酸エステルが、モノオレイン酸ＰＥＧ−２０、モノラウリン酸ＰＥＧ−２０、モノステアリン酸ＰＥＧ−２０であり、
前記ＰＥＧ−グリセリル脂肪酸エステルが、モノオレイン酸ＰＥＧ−２０グリセリル、モノステアリン酸ＰＥＧ−２０グリセリル、またはモノラウリン酸ＰＥＧ−２０グリセリルであり、
前記ポリソルベートが、ポリソルベート２０またはポリソルベート８０であり、ならびに
前記ＰＥＧ−脂肪族アルコールが、オクトキシノール、オレス、またはラウレスである、請求項９５に記載の方法。
【請求項１１９】
前記オクトキシノールがオクトキシノール−９、ならびに前記ラウレスがラウレス−２３である、請求項１１８に記載の方法。
【請求項１２０】
前記パクリタキセル、前記誘導体、または前記薬剤として許容される塩の単位重量当たり、前記ＰＥＧ−ビタミンＥ、前記ＰＥＧ−モノ脂肪酸エステル、前記ＰＥＧ−グリセリル脂肪酸エステル、前記ポリソルベート、または前記ＰＥＧ−脂肪族アルコールの単位重量が５〜２００の範囲である、請求項９５に記載の方法。
【請求項１２１】
前記パクリタキセル、前記誘導体、または前記薬剤として許容される塩の単位重量当たり、前記第四級アンモニウム塩の単位重量が０．０１〜１の範囲である、請求項９５に記載の方法。
【請求項１２２】
前記ＰＥＧ−ビタミンＥ、前記ＰＥＧ−モノ脂肪酸エステル、前記ＰＥＧ−グリセリル脂肪酸エステル、前記ポリソルベート、または前記ＰＥＧ−脂肪族アルコールの濃度が、３ｍｇ／ｍｌ〜１２０ｍｇ／ｍｌの範囲である、請求項１１１に記載の方法。
【請求項１２３】
前記第四アンモニウム塩の濃度が０．００４８ｍｇ／ｍｌ〜０．３５ｍｇ／ｍｌの範囲である、請求項１１１に記載の方法。
【請求項１２４】
前記ＰＥＧ−ビタミンＥ、前記ＰＥＧ−モノ脂肪酸エステル、前記ＰＥＧ−グリセリル脂肪酸エステル、前記ポリソルベート、または前記ＰＥＧ−脂肪族アルコールのうちの２つ以上の合計濃度が、２０重量％〜９９重量％の範囲である、請求項１０８に記載の方法。
【請求項１２５】
ヒト投与に適する医薬品製剤であって、前記製剤が本質的に、
（ａ）パクリタキセル、その誘導体、または薬剤として許容される塩、ならびに
（ｂ）１つ以上のＰＥＧ−ビタミンＥ、第四級アンモニウム塩、ＰＥＧ−モノ脂肪酸エステル、ＰＥＧ−グリセリル脂肪酸エステル、ポリソルベート、あるいはＰＥＧ−脂肪族アルコール、ならびに
（ｃ）エタノール、
から成り、前記製剤がクレモフォールを含まず、さらに水性媒体を使って、非経口投与に適する微粒子を含まない溶液に溶解または再構成することに適する、医薬品製剤。
【請求項１２６】
前記ＰＥＧ−ビタミンＥが、トコフェロソランであり、
前記第四級アンモニウム塩が、塩化ベンザルコニウム、塩化ベンゼトニウム、またはセトリミドであり、
前記ＰＥＧ−モノ脂肪酸エステルが、モノオレイン酸ＰＥＧ−２０、モノラウリン酸ＰＥＧ−２０、モノステアリン酸ＰＥＧ−２０であり、
前記ＰＥＧ−グリセリル脂肪酸エステルが、モノオレイン酸ＰＥＧ−２０グリセリル、モノステアリン酸ＰＥＧ−２０グリセリル、またはモノラウリン酸ＰＥＧ−２０グリセリルであり、
前記ポリソルベートが、ポリソルベート２０またはポリソルベート８０であり、ならびに
前記ＰＥＧ−脂肪族アルコールが、オクトキシノール、オレス、またはラウレスである、請求項１２５に記載の医薬品製剤。
【請求項１２７】
前記オクトキシノールがオクトキシノール−９、ならびに前記ラウレスがラウレス−２３である、請求項１２６に記載の医薬品製剤。
【請求項１２８】
前記製剤が無菌である、請求項１２５に記載の医薬品製剤。
【請求項１２９】
前記製剤の剤形が一回量（ｓｉｎｇｌｅ−ｕｎｉｔ−ｄｏｓａｇｅ）である、請求項１２５に記載の医薬品製剤。
【請求項１３０】
前記製剤の剤形が複数回量（ｍｕｌｔｉ−ｕｎｉｔ−ｄｏｓａｇｅ）である、請求項１２５に記載の医薬品製剤。
【請求項１３１】
ヒト投与に適する医薬品製剤であって、前記製剤が本質的に、
（ａ）パクリタキセル、その誘導体、または薬剤として許容される塩、ならびに
（ｂ）２つ以上のＰＥＧ−ビタミンＥ、第四級アンモニウム塩、ＰＥＧ−モノ脂肪酸エステル、ＰＥＧ−グリセリル脂肪酸エステル、ポリソルベート、あるいはＰＥＧ−脂肪族アルコール、ならびに
（ｃ）エタノール、
から成り、前記製剤がクレモフォールを含まず、さらに水性媒体を使って、非経口投与に適する微粒子を含まない溶液に溶解または再構成することに適する、医薬品製剤。
【請求項１３２】
前記ＰＥＧ−ビタミンＥが、トコフェロソランであり、
前記第四級アンモニウム塩が、塩化ベンザルコニウム、塩化ベンゼトニウム、あるいはセトリミドであり、
前記ＰＥＧ−モノ脂肪酸エステルが、モノオレイン酸ＰＥＧ−２０、モノラウリン酸ＰＥＧ−２０、モノステアリン酸ＰＥＧ−２０であり、
前記ＰＥＧ−グリセリル脂肪酸エステルが、モノオレイン酸ＰＥＧ−２０グリセリル、モノステアリン酸ＰＥＧ−２０グリセリル、またはモノラウリン酸ＰＥＧ−２０グリセリルであり、
前記ポリソルベートが、ポリソルベート２０またはポリソルベート８０であり、ならびに
前記ＰＥＧ−脂肪族アルコールが、オクトキシノール、オレス、またはラウレスである、請求項１３１に記載の医薬品製剤。
【請求項１３３】
前記オクトキシノールがオクトキシノール−９、ならびに前記ラウレスがラウレス−２３である、請求項１３２に記載の医薬品製剤。
【請求項１３４】
前記製剤が、前記ＰＥＧ−ビタミンＥと１つ以上の前記ＰＥＧ−モノ脂肪酸エステル、前記ＰＥＧ−グリセリル脂肪酸エステル、前記ポリソルベート、または前記ＰＥＧ−脂肪族アルコールを含む、請求項１３１に記載の医薬品製剤。
【請求項１３５】
前記製剤が、前記第四アンモニウム塩と前記ポリソルベートまたは前記ＰＥＧ−脂肪族アルコールの１つまたは両方を含む、請求項１３１に記載の医薬品製剤。
【請求項１３６】
前記製剤が、前記ＰＥＧ−モノ脂肪酸エステルと１つ以上の前記ＰＥＧ−ビタミンＥ、前記ＰＥＧ−グリセリル脂肪酸エステル、前記ポリソルベート、または前記ＰＥＧ−脂肪族アルコールを含む、請求項１３１に記載の医薬品製剤。
【請求項１３７】
前記製剤が、前記ポリソルベートと１つ以上の前記第四級アンモニウム塩、前記ＰＥＧ−モノ脂肪酸エステル、前記グリセリル脂肪酸エステル、または前記ＰＥＧ−脂肪族アルコールを含む、請求項１３１に記載の医薬品製剤。
【請求項１３８】
前記製剤が、前記脂肪族アルコールと１つ以上の前記ＰＥＧ−ビタミンＥ、第四級アンモニウム塩、前記ＰＥＧ−モノ脂肪酸エステル、または前記ポリソルベートを含む、請求項１３１に記載の医薬品製剤。
【請求項１３９】
前記製剤が無菌である、請求項１３１に記載の医薬品製剤。
【請求項１４０】
前記製剤の剤形が一回量である、請求項１３１に記載の医薬品製剤。
【請求項１４１】
前記製剤の剤形が複数回量である、請求項１３１に記載の医薬品製剤。
【請求項１４２】
前記製剤がさらにその他の賦形剤を含む、請求項１３１に記載の医薬品製剤。
【請求項１４３】
試料のアレイであって、各試料はパクリタキセル、その誘導体、または薬剤として許容される塩と１つ以上の製剤成分を含み、前記各試料が、
（ｉ）前記製剤成分の正体、または
（ｉｉ）前記パクリタキセル、前記誘導体、または前記薬剤として許容される塩の前記製剤成分に対する割合、
の少なくとも１つの関して他の試料と異なるアレイ。
【請求項１４４】
前記アレイが少なくとも２４個の試料から成る、請求項１４３に記載のアレイ。
【請求項１４５】
前記アレイが少なくとも４８個の試料から成る、請求項１４３に記載のアレイ。
【請求項１４６】
前記アレイが少なくとも９６個の試料から成る、請求項１４３に記載のアレイ。
【請求項１４７】
哺乳類にパクリタキセル、その誘導体、または薬剤として許容される塩を投与するために適する医薬品製剤を検索する方法であって、前記方法が、
（ａ）各試料がパクリタキセル、その誘導体、または薬剤として許容される塩と１つ以上の製剤成分を含み、前記各試料が、
（ｉ）前記製剤成分の正体、または
（ｉｉ）前記パクリタキセル、前記誘導体、または前記薬剤として許容される塩の前記製剤成分に対する割合、
の少なくとも１つの関して他の試料と異なる前記試料のアレイを調製すること、ならびに
（ｂ）各試料の特性を試験すること、
を含む方法。
【請求項１４８】
前記特性が溶解度である、請求項１４７に記載の方法。
【請求項１４９】
前記アレイが少なくとも２４個の試料を含む、請求項１４７に記載の方法。
【請求項１５０】
前記アレイが少なくとも４８個の試料を含む、請求項１４７に記載の方法。
【請求項１５１】
前記アレイが少なくとも９６個の試料を含む、請求項１４７に記載の方法。
【請求項１５２】
一日当たり少なくとも１０００個の試料が試験される、請求項１４７に記載の方法。
【請求項１５３】
哺乳類への非経口投与に適する、微粒子を含まない医薬品製剤であって、前記製剤は、クレモフォールを含まない水溶液中に０．２ｍｇ／ｍｌ〜３ｍｇ／ｍｌのパクリタキセルを含み、前記製剤中の前記パクリタキセル１ｍｇ当たりの水の量は４．５ｍｌ〜０．３ｍｌである医薬品製剤。
【発明の詳細な説明】
本出願は、２０００年１１月２８日に申請された米国仮出願番号第６０／２５３，６４０号、ならびに２００１年２月２８日に申請された米国仮出願番号第６０／２７２，１１７ 号による優先権を請求し、両文ともに本願明細書にその全文を参考文献として引用している。
【０００１】
【発明の属する技術分野】
本発明は、薬剤を含む製剤の調製に適する賦形剤またはそれらの組み合わせに関する。さらに詳しくは、本発明は、パクリタキセル、その誘導体、および薬剤として許容される塩を含む、安定かつ有効な医薬品製剤に関する。
【０００２】
【従来の技術】
医薬品は純粋な化合物として販売されることはほとんどなく、その理由は、なかでも、安定性、溶解度、ならびに医薬品それ自体のバイオアベイラビリティ（即ち、有効成分）に関する問題のためであり、ほとんどの場合は、有効成分と、賦形剤、結合剤、希釈剤のようなその他の成分、ならびにその他の送達用溶剤またはシステムを含む医薬品製剤の状態で投与される。ほとんどの薬剤の安定性、溶解度、溶解性、透過性、ならびに分配のような物理および化学特性は、それらが投与される媒体に直接関連することが詳しく記録されている。また、反対に、製剤混合物中の薬剤の物理および化学特性は、吸収、バイオアベイラビリティ、代謝プロファイル、毒性、ならびに力価のような、薬理学的および薬物動態学的特性を影響する。そのような影響は、製剤成分と医薬品間の相互作用および／またはそれら成分間の相互作用によって起因される。その中に薬剤が投与されている製剤によって影響されるその他の特性は、圧縮性、コンパクタビリティ、および流体特性のような、機械的特性、ならびに味覚、嗅覚、および色彩のような感覚的特性を含む。したがって、薬剤のバイオアベイラビリティと活性持続時間を最適化し、さらに望ましくない特性を最小化する医薬品製剤の発見は、医薬品開発と研究の重要な要素である。製剤に関する題材の一般的概説については、Ｈｏｗａｒｄ， “Ｉｎｔｒｏｄｕｃｔｉｏｎ ｔｏ Ｐｈａｒｍａｃｅｕｔｉｃａｌ Ｄｏｓａｇｅ Ｆｏｒｍｓ”（薬剤剤形概論）， Ｌｅａ ＆ Ｆｅｂｉｇｅｒ， Ｐｈｉｌａｄｅｌｐｈｉａ ＰＡ， 第４版， １９８５； “Ｒｅｍｉｎｇｔｏｎ： ｔｈｅ Ｓｃｉｅｎｃｅ ａｎｄ Ｐｒａｃｔｉｃｅ ｏｆ Ｐｈａｒｍａｃｙ”（Ｒｅｍｉｎｇｔｏｎ： 薬学の科学と実用）， Ａｌｆｏｎｓｏ Ｒ． Ｇｅｎｎａｒｏ ｅｄ．， Ｍａｃｋ Ｐｕｂｌｉｓｈｉｎｇ Ｃｏ． Ｅａｓｔｏｎ， ＰＡ， 第１９版， １９９５， 第８３章、を参照されよう。
【０００３】
一般に、製剤開発は、多数の計量値を個別に評価しなければならない冗長なプロセスである。例えば、製剤が、難溶性よって特徴づけられる薬剤を含んでいるならば、塩濃度範囲での薬剤の溶解度、ｐＨ、賦形剤、薬剤の濃度が調製されて、薬剤と賦形剤間の相互作用、または薬剤の溶解度を影響する賦形剤間の相互作用が試験されなければならない。いくつかの一般的規則があるが、薬剤の物理および化学特性に対する賦形剤ならびに賦形剤の組み合わせの影響は、容易に予測できるものではない。さらに、医薬品製剤をデザインする際に、３，０００を超える賦形剤が対象となり、それぞれが、互いにまた薬剤と異なる程度ならびに種類の相互作用を有する。（安全性認定（ＧＲＡＳ）賦形剤の一覧については、連邦政府規則集（ＣＦＲ）、２１ ＣＦＲ １８２ および ２１ ＣＦＲ １８４を参照）。多数の計量値が関与するために、業界には、賦形剤と薬剤間の相互作用を同定、計測、または探索する時間または方策がなく、したがって、特定の薬剤に適応された最適化医薬品製剤を提供することができない。そのような作業は、一日に何百から何千の製剤を試験することを必要とする。３００の物質が、医薬品製剤における賦形剤としての有効性を試験されると仮定すると、濃度の変化ならびに物理または化学特性の変化を考慮に入れない場合でも、可能な組み合わせ数は莫大であり、２つの物質が選択された場合、可能となる組み合わせは４５，１５０となり、３つの成分では、その組み合わせ数は４，５４５，１００となり、そして４つの成分では、可能な組み合わせ数は３４４，２９１，３２５ に上る。各成分の相対比が考慮される場合は、複雑度はさらに上昇する。残念なことには、多数の薬剤−賦形剤の組み合わせを同時に作成して、次に各組み合わせをシステムに自動的にフィードして、最適化特性を有する組み合わせを同定するようなテクノロジーは未だ知られていない。現在、経済性の理由で、ほとんどの薬剤が、標準の、最適化されていない製剤の状態で販売かつ投与されている。例えば、“Ａｌｌｅｎ’ｓ Ｃｏｍｐｏｕｎｄｅｄ Ｆｏｒｍｕｌａｔｉｏｎｓ： Ｕ．Ｓ． Ｐｈａｒｍａｃｉｓｔｓ Ｃｏｌｌｅｃｔｉｏｎ”（Ａｌｌｅｎの化合物化製剤：米国薬剤師コレクション） １９９５ 〜１９９８， Ｌｌｏｙｄ Ａｌｌｅｎ編集。を参照されよう。
【０００４】
パクリタキセルは、現在、米国では、静脈内注射用の非水性のサブオプティマル製剤濃縮物としてのみ入手可能である。１３５ｍｇ／ｍ２の用量のパクリタキセルを三週間ごとに静脈内投与する用法が、過去に治療を受けていない卵巣ガン患者に推奨されている。同様な用法が、他のガンについても推奨されている。パクリタキセルは、実質的に水に不溶性である。市販入手可能なパクリタキセル製剤（Ｂｒｉｓｔｏｌ−Ｍｙｅｒｓ Ｓｑｕｉｂｂ）は、クレモフォール（商標）ＥＬ（ＰＥＧ−３５ヒマシ油、ポリオキシエチレン化ヒマシ油）と脱水エタノール（５０容量／容量％）に溶解された６ｍｇ／ｍｌのパクリタキセルを含む。同様な製剤が、その他の製造元、例えばＩＶＡＸ Ｃｏ、から発売されている。静脈内注射の前に、市販の投与量は、注射前に最終濃度が０．３〜１．２ｍｇ／ｍｌになるように希釈されなければならない。推奨される希釈剤は、０．９％塩化ナトリウム水溶液、５％デキストロース水溶液、または０．９％塩化ナトリウム５％デキストロース水溶液、または、５％デキストロース含有リンゲル液である（Ｔｈｅ Ｐｈｙｓｉｃｉａｎ’ｓ Ｄｅｓｋ Ｒｅｆｅｒｅｎｃｅ（医家向け医薬品便覧）， 第５４版， ８８１〜８８７， Ｍｅｄｉｃａｌ Ｅｃｏｎｏｍｉｃｓ Ｃｏｍｐａｎｙ （２０００）、Ｇｏｌｄｓｐｉｅｌ １９９４ “Ａｎｎ． Ｐｈａｒｍａｃｏｔｈｅｒａｐｙ” ２８：Ｓ２３〜２６）。
【０００５】
一般的に、パクリタキセルの必要投与量を送達するために必要なクレモフォール（商標）ＥＬの量は、現在クレモフォール（商標）ＥＬで製剤化されるその他の薬物と共に投与される量よりも著しく高い。これは、血管拡張、呼吸困難、および低血圧を含む、いくつかの有毒作用がクレモフォール（商標）ＥＬに起因するために、特に問題となる。この溶剤はまた、実験動物とヒトにおいて重症な過敏症を起こすが示されている（Ｗｅｉｓｓ ら， １９９０， ”Ｊ Ｃｌｉｎ． Ｏｎｃｏｌ．” ８：１２６３〜１２６８）。実際に、経静脈ボーラス注射によってマウスに投与し得るパクリタキセルの最大投与量は、クレモフォール（商標）ＥＬ溶剤の急性致死毒性に支配されている（Ｅｉｓｅｍａｎら， １９９４， “Ｃａｎｃｅｒ Ｃｈｅｍｏｔｈｅｒ． Ｐｈａｒｍａｃｏｌ．” ３４：４６５〜４７１）。
【０００６】
さらに、クレモフォール（商標）ＥＬは、ポリ塩化ビニルバッグと静脈内投与用チューブからジ（２−エチルヘキシル）フタレート（ＤＥＨＰ）のようなフタル酸塩可塑剤を浸出することが公知である。ＤＥＨＰは、動物において肝毒性を起こすことが知られており、齧歯類では発ガン性である。輸液で希釈の際、パクリタキセル・クレモフォール（商標）ＥＬ製剤は、その結果微粒子を形成することがある。その上、長時間にわたる保管中に、その濃縮物中に組成が未知である線維性沈殿物が形成されることがある。この沈殿物は、一般的には、溶媒成分またはパクリタキセルのいずれかの分解副産物であると考えられている。そのような場合、希釈されたクレモフォール（商標）ＥＬ／エタノール／パクリタキセル製剤を、投与中に濾過することが必要である（Ｇｏｌｄｓｐｉｅｌ １９９４ ”Ａｎｎ． Ｐｈａｒｍａｃｏｔｈｅｒａｐｙ” ２８：Ｓ２３〜２６）。
【０００７】
米国特許番号第５，５０４，１０２号において、共溶媒としてエタノールを含む市販グレードのクレモフォール（商標）ＥＬは、パクリタキセルの溶解には有効であるが、長期間にわたると不安定性を呈する注射製剤を生じることがさらに報告されている。特に、５０：５０（容量比）の脱水エチルアルコールと市販グレードのクレモフォール（商標）ＥＬから成る共溶媒中のパクリタキセルの医薬品製剤は、５０℃で１２週間保管後に６０％以上の力価の損失を呈する。この力価損失は、保管中のパクリタキセルの分解に起因する。クレモフォール（商標）ＥＬのその他の不利点が報告されている。
【０００８】
パクリタキセルよりも改善された水溶解度を備えるパクリタキセル誘導体を調製することによって、クレモフォール（商標）ＥＬを制限または排除することに注力されている。この分野における研究は、パクリタキセルの２’−コハク酸−ならびにアミノ酸エステルプロドラッグの調製を含む（例えば、Ｄｅｕｔｓｃｈら， １９８９， “Ｊ． Ｍｅｄ． Ｃｈｅｍ．”， ３２：７８８〜７９２、 Ｍａｔｔｈｅｗら， １９９２，“Ｊ． Ｍｅｄ． Ｃｈｅｍ．” ３５：１４５〜１５１を参照）。その他の努力として、Ｇｒｅｅｎｗａｌｄらは、水溶性が高い、パクリタキセルの２’ならびに７−ポリエチレングリコールエステルの合成を報告したが、しかし、これらの化合物のインビボ抗腫瘍活性に関するデータは報告されていない（Ｇｒｅｅｎｗａｌｄら， １９９５， “Ｊ． Ｏｒｇ． Ｃｈｅｍ．” ６０：３３１〜３３６）。パクリタキセルの水溶解度問題を解決するためのその他の試みは、リポソームおよびナノスフェアへのパクリタキセルのマイクロカプセル化に関連する（Ｂａｒｔｏｎｉら， １９９０， “Ｊ． Ｍｉｃｒｏｅｎｃａｐｓｕｌａｔｉｏｎ” ７：１９１〜１９７）。リポソーム製剤は、遊離パクリタキセルと同様に有効であることが報告されているが、パクリタキセルを２％以下含有するリポソーム製剤のみが物理的に安定であることが報告された（Ｓｈａｒｍａら， １９９４， “Ｐｈａｒｍ． Ｒｅｓ．” １１：８８９〜８９６）。したがって、パクリタキセルの不溶性とクレモフォール（商標）ＥＬの不利点に起因する不利を克服して、治療有効量のパクリタキセルおよびその誘導体を送達し得る、パクリタキセル、その誘導体および薬剤として許容される塩を含む製剤についての需要がある。
【０００９】
【課題を解決するための手段】
好ましい実施形態では、本発明は、パクリタキセルの溶解を促進する傾向の高い、あるいはパクリタキセル水溶液を安定化する、パクリタキセル可溶化剤ならびにその製剤に関する。本発明の製剤は、パクリタキセル、その誘導体、またはそのような誘導体の薬剤として許容される塩を、それを必要とする患者に投与するために有用である。本発明の製剤は、ヒトを含む哺乳類への非経口、経口、局所、または経皮投与、特に静脈内投与に適する。
【００１０】
さらに一般的には、本発明のパクリタキセル可溶化剤またはその混合物は、疎水性薬剤を含む、またはそのような薬剤と共にクレモフォール（商標）ＥＬを使用する必要性のある既存の医薬品製剤において、可溶化賦形剤としての不都合な賦形剤であるクレモフォール（商標）ＥＬに取って替わることができる。したがって、本発明の製剤は、水可溶化賦形剤として現在クレモフォール（商標）ＥＬが使用されているか、または現時点での第一の選択物である任意の薬物を投与するために適する。本発明の製剤は、パクリタキセルとその誘導体を投与するために特に適する。
【００１１】
一つの実施形態では、本発明は、哺乳類に投与するための医薬品製剤に関し、前記製剤は、
（ａ）パクリタキセル、その誘導体、または薬剤として許容される塩、
（ｂ）１つ以上のＰＥＧ−グリセリル脂肪酸エステル、第四級アンモニウム塩またはＰＥＧ−脂肪族アルコールを含む。
【００１２】
この実施形態では、好ましくは、第四級アンモニウム塩は、塩化ベンザルコニウム、塩化ベンゼトニウム、あるいはセトリミドであり、ＰＥＧ−グリセリル脂肪酸エステルは、モノオレイン酸ＰＥＧ−グリセリルまたはモノラウリン酸ＰＥＧ−グリセリルであり、そしてＰＥＧ−脂肪族アルコールは、オクトキシノール、オレス、またはラウレスである。
【００１３】
他の実施形態では、本発明は哺乳類に投与するための医薬品製剤に関するものであり、前記製剤は、
（ａ）パクリタキセル、その誘導体、または薬剤として許容される塩、
（ｂ）２つ以上のＰＥＧ−ビタミンＥ、第四級アンモニウム塩、ＰＥＧ−モノ脂肪酸エステル、ＰＥＧ−グリセリル脂肪酸エステル、ポリソルベート、あるいはＰＥＧ−脂肪族アルコール、を含む。
【００１４】
好ましくは、ＰＥＧ−ビタミンＥはトコフェルソランであり、第四級アンモニウム塩は、塩化ベンザルコニウム、塩化ベンゼトニウム、またはセトリミドであり、ＰＥＧ−モノ脂肪酸エステルは、モノオレイン酸ＰＥＧ−２０、モノラウリン酸ＰＥＧ−２０、モノステアリン酸ＰＥＧ−２０であり、ＰＥＧ−グリセリル脂肪酸エステルは、モノオレイン酸ＰＥＧ−２０グリセリル、モノステアリン酸ＰＥＧ−２０グリセリル、またはモノラウリン酸ＰＥＧ−２０グリセリルであり、ポリソルベートは、ポリソルベート２０またはポリソルベート８０であり、ならびにＰＥＧ−脂肪族アルコールは、オクトキシノール、オレスまたはラウレスである。好ましいオクトキシノールは、オクトキシノール−９であり、そして好ましいラウレスはラウレス−２３である。
【００１５】
別の実施形態では、本発明の製剤は、第四級アンモニウム塩を含まない。
本実施形態の一つの好ましい態様では、パクリタキセル可溶化剤は、ＰＥＧ−ビタミンＥと１つ以上のＰＥＧ−モノ脂肪酸エステル、ＰＥＧ−グリセリル脂肪酸エステル、ポリソルベート、またはＰＥＧ−脂肪族アルコールである。
本実施形態の他の好ましい態様では、パクリタキセル可溶化剤は、第四級アンモニウム塩とポリソルベートまたはＰＥＧ−脂肪族アルコールの１つまたは両方である。
【００１６】
本実施形態のさらに他の好ましい態様では、パクリタキセル可溶化剤は、ＰＥＧ−モノ脂肪酸エステルと１つ以上のＰＥＧ−ビタミンＥ、ＰＥＧ−グリセリル脂肪酸エステル、ポリソルベート、またはＰＥＧ−脂肪族アルコールである。
他の実施形態では、パクリタキセル可溶化剤は、ＰＥＧ−グリセリル脂肪酸エステルと１つ以上のＰＥＧ−ビタミンＥ、ＰＥＧ−モノ脂肪酸エステル、またはポリソルベートである。
【００１７】
本実施形態のさらに他の好ましい態様では、パクリタキセル可溶化剤は、ポリソルベートと１つ以上の第四級アンモニウム塩、ＰＥＧ−モノ脂肪酸エステル、ＰＥＧ−グリセリル脂肪酸エステル、またはＰＥＧ−脂肪族アルコールである。
本実施形態の他の好ましい態様では、パクリタキセル可溶化剤は、ＰＥＧ−脂肪族アルコールと１つ以上のＰＥＧ−ビタミンＥ、第四級アンモニウム塩、ＰＥＧ−モノ脂肪酸エステル、またはポリソルベートである。
【００１８】
他の実施形態では、本発明は、哺乳類投与用の医薬品製剤に関し、前記製剤が、
（ａ）パクリタキセル、その誘導体、または薬剤として許容される塩、
（ｂ）ＰＥＧ−４００と１つ以上のＰＥＧ−ビタミンＥ、第四級アンモニウム塩、ＰＥＧ−モノ脂肪酸エステル、ＰＥＧ−グリセリル脂肪酸エステル、ポリソルベート、またはＰＥＧ−脂肪族アルコール、を含む。
【００１９】
別の実施形態では、本発明は、哺乳類においてパクリタキセルで治療可能なガンまたはその他の状態の治療方法に関し、前記方法は、前記哺乳類に、本発明の製剤を治療有効量投与することを含む。
さらに他の実施形態では、本発明の製剤は、パクリタキセル、その誘導体または塩とは無関係である。そのような製剤は、本願では、本発明のパクリタキセルを含まない製剤として言及され、任意の薬剤を可溶化かつ投与するために使用できる。本発明のパクリタキセルを含まない製剤は、現在クレモフォールおよび類似の賦形剤を含む医薬品製剤におけるそれらの置換物として特に有用である。
【００２０】
他の実施形態では、本発明は、ヒト投与に適する医薬品製剤に関し、前記製剤は本質的に、
（ａ）パクリタキセル、その誘導体、または薬剤として許容される塩、
（ｂ）１つ以上のＰＥＧ−ビタミンＥ、第四級アンモニウム塩、ＰＥＧ−モノ脂肪酸エステル、ＰＥＧ−グリセリル脂肪酸エステル、ポリソルベート、またはＰＥＧ−脂肪族アルコール、ならびに
（ｃ）エタノール、
を含み、前記製剤はクレモフォールを含まず、さらに水性媒体を使って、非経口投与に適する微粒子を含まない溶液に溶解または再構成することに適する。
【００２１】
さらに他の実施形態では、本発明は、ヒト投与に適する医薬品製剤に関し、前記製剤は本質的に、
（ａ）パクリタキセル、その誘導体、または薬剤として許容される塩、および
（ｂ）２つ以上のＰＥＧ−ビタミンＥ、第四級アンモニウム塩、ＰＥＧ−モノ脂肪酸エステル、ＰＥＧ−グリセリル脂肪酸エステル、ポリソルベート、あるいはＰＥＧ−脂肪族アルコール、ならびに
（ｃ）エタノール、
を含み、前記製剤がクレモフォールを含まず、さらに水性媒体を使って、非経口投与に適する微粒子を含まない溶液に溶解または再構成することに適する。
【００２２】
他の実施形態では、本発明は、様々な濃度で、同時に、多数の賦形剤／有効成分の組み合わせ（例えば数千から数十万）をハイスループット調製するためのアレイと方法、ならびにそのハイスループット試験に関する。そのようなプロセスの例は、本願の実施例セクションに記述される。そのような方法は、製剤成分（例：賦形剤）と有効成分間、複数の製剤成分間、あるいは複数の有効成分の間、の相互作用の検出または測定を可能にする。いったんそのような相互作用または相互作用の欠如が同定されると、有効成分が、薬剤投与用の最適製剤中に「後付（追加）」され得る。
【００２３】
本発明はしたがって、総体的な最適製剤を決定するため、または、例えばバイオアベイラビリティ、力価、放出、安定性などのような、ある特定の所望する特性または結果を最適化するため、あるいはその両方のために、パクリタキセル、その誘導体または塩を含む製剤のハイスループット試験を包含する。出願人の知見によれば、製剤の生成、スクリーニング、試験、分析に関するシステム化された、ハイスループット方法は、本発明の以前には公表されていない。
【００２４】
この点に関して、本発明の他の実施形態は、試料のアレイに関し、各試料はパクリタキセル、その誘導体、または薬剤として許容される塩と１つ以上の製剤成分を含み、前記各試料が、
（ｉ）製剤成分の正体、または
（ｉｉ）製剤成分に対する、パクリタキセル、その誘導体、または薬剤として許容される塩の割合、
の少なくとも１つの関して他の試料と異なる。
【００２５】
さらに他の実施形態では、本発明は、哺乳類へのパクリタキセル投与に適する医薬品製剤を探索するための方法に関し、この方法が、
（ａ）各試料がパクリタキセル、その誘導体、または薬剤として許容される塩と１つ以上の製剤成分を含み、各試料が、
（ｉ）製剤成分の正体、または
（ｉｉ）製剤成分に対する、パクリタキセル、その誘導体、または薬剤として許容される塩の割合、
の少なくとも１つの関して他の試料と異なる試料のアレイを調製すること、ならびに
（ｂ）各試料の特性を試験すること、を含む。
【００２６】
さらに他の実施形態では、本発明は、哺乳類への非経口投与に適する微粒子を含まない医薬品製剤に関し、この医薬品製剤は、非クレモフォール水溶液中に約０．２ｍｇ／ｍｌ〜約３．０ ｍｇ／ｍｌ のパクリタキセルを含み、ここでこの製剤中のパクリタキセルの１ｍｇ当たり、水の量は約４．５ｍｌ〜約０．３ｍｌである。
【００２７】
［定義］
本願においては、「哺乳類」という用語は全ての哺乳類を包含する。哺乳類が本発明による製剤を必要としていることが好ましい。哺乳類の例は、限定はされないが、ウシ、ウマ、ヒツジ、ブタ、ネコ、イヌ、マウス、ラット、ウサギ、モルモット、サル等、さらに好ましくはヒト、を含む。
【００２８】
本願に言及されるように、パクリタキセルの誘導体および類似体は、限定はされないが、ドセタキセルならびに以下の一般式１を有する化合物、またそれらの立体異性体および製剤として許容される塩を含む。
【００２９】
【化１】
2004536026.tif 000002
【００３０】
式中、Ｒのそれぞれの存在は、独立してＨ、（Ｃ１−Ｃ６）アルキル、アリール、Ｃ（Ｏ）（Ｃ１−Ｃ６）アルキル、または Ｃ（Ｏ）アリールである。好ましくは、（Ｃ１−Ｃ６）アルキルはメチルで、アリールはフェニルである。そのような誘導体は当該分野で公知である。例えば、式１によって包含されるパクリタキセル誘導体は、米国特許番号第５，３９９，７２６号、５，６５４，４４７号、６，０６６，７４７号、５，３３８，８７２号、６，１０７，３３２号、５，７０３，１１７号、５，７１４，５１２号、５，５８０，８９９号、６，１１８，０１１号、５，４７０，８６６号、５，３１９，１１２号、ならびに ６，１３６，９６１号に公開されている。
【００３１】
本願に使用する際は、「パクリタキセル可溶化剤」とは、水性媒体中でパクリタキセルを可溶化する傾向の高い一つの物質または混合物を意味する。好ましくは、パクリタキセル可溶化剤は、水性パクリタキセル媒体に含まれるときは、室温で、少なくとも水に約１．２ｍｇ／ｍｌの濃度までパクリタキセルを溶解し得る。「本発明のパクリタキセル可溶化剤」とは、ＰＥＧ−ビタミンＥ類、第四級アンモニウム塩類、ＰＥＧ−モノ脂肪酸エステル類、ポリソルベート類、ならびにＰＥＧ−脂肪族アルコール類またはそれらの組み合わせを意味する。「パクリタキセル可溶化剤」は、一般的に薬物を可溶化、分配、ならびに投与するために使用することができ、例えば、本発明のパクリタキセル可溶化剤は、限定はされないが、シスプラチン、カルボプラチン、エピルビシン、ロイプロリド、ビカルタミド、ゴセレリンインプラント、イリノテカン、ゲムチタビン、およびサルグラモスチム（ｓａｒｇｒａｍｏｓｔｉｍ、顆粒球マクロファージ刺激因子）のようなその他のガンおよびガン関連薬剤、ベシル酸アムロジピン、マレイン酸エナラプリル、ロサルタンカリウム、リシノプリル、イルベサルタン、ニフェジピン、ジルチアゼム、クロピドグレル、ジゴキシン、アブシキマブ、フロセミド、アミオダロン、ベラプロスト、およびトコフェリルのような心血管系薬剤、アモキシシリン、クラブラネート、シプロフロキサシン、アジスロマイシン、イトラコナゾール、アシクロビルフルコナゾール、テルビナフィン、エリスロマイシン、ならびにスルフィソキサゾールアセチルのような抗感染剤、フルオキセチン、パロキセチン、セルタリン、バンラファキシン、ブプロピオン、オランザピン、アルプラゾラム、メチルフェニデート、フルボキサミン、およびエルゴロイドのような精神治療薬、オメプラゾール、ランソプラゾール、ラニチジン、ファモチジン、オンダンセトロン、グラニセトロン、スルファサラジン、およびインフリキシマブのような胃腸薬、ロラタジン、フェキソフェナジン、セチリジン、フルチカゾン、キシナホ酸サルメテロール、およびブデソニドのような呼吸器治療薬、シンバスタチン、アトロバスタチンカルシウム、プラバスタチン、ロバスタチン、ベザフィブラート、シプロフィブラート、およびゲムフィブロジルのようなコレステロール低下薬、エポエチンアルファ、エノキサパリン、および抗血友病因子などの血液作用薬、セレコキシブ、ジクロフェナクナトリウム、ナブメトン、ミソプロストール、およびロフェコキシブのような抗関節炎薬、ラミブジン、ジドブジン、インジナビル、スタブジン、およびラミブジンのようなＡＩＤＳとＡＩＤＳ関連薬、メトホルミン、トログリタゾン、およびアカルボースのような糖尿病と糖尿病関連治療薬、肝炎ワクチンのような生物薬品、エストラジオールのようなホルモン剤、シクロスポリン、ミコフェノレートモフェティール、およびメチルプレドニゾロンのような免疫抑制剤、トラマドール、フェンタニル、メタミゾール、ケトプロフェン、モルヒネ、アセチルサルチル酸リジン、ケトロラックトロメタミン、モルヒネ、ロキソプロフェンナトリウム、およびイボプロフェンのような鎮痛薬、イソトレチノインおよびクリンダマイシンのような皮膚科用剤、プロポフォール、ミダゾラム、およびリドカインのような麻酔薬、コハク酸スマトリプタン、ゾリミトリプタン、およびリザトリプタンのような片頭痛薬、ゾルピデム、トリアゾラム、および臭化ブチルヒコシンのような鎮静薬と催眠薬、インターフェロンベータ−１ａ、インターフェロンベータ−１ａ、およびグラチラマーのような多発性硬化症薬、ビタミンＫ２のような骨粗鬆症薬、ドルナーゼアルファおよびトブラマイシンのような嚢胞性線維症薬、ドラセトロンおよびドネペジルのようなアルツハイマー病治療薬、イオヘキソール、テクネチウムＴｃ９９ｍセスタミビ、イオメプロール、ガドジアミド、イオベルソール、およびイオプロミドのような造影剤、または薬剤として許容されるそれらの塩を可溶化、分配、ならびに投与するために使用し得る。
【００３２】
「有効成分」という用語は薬剤を意味し、さらに詳細には、パクリタキセル、その誘導体、および薬剤として許容される塩を意味する。
「クレモフォール」という用語は、ＰＥＧ−３５ヒマシ油（クレモフォール（登録商標）ＥＬの商標名で、ＢＡＳＦ， Ｗａｓｈｉｎｇｔｏｎ， ＮＪから市販されている）を意味する。
【００３３】
本願で使用する際、「本発明の製剤」という表現は、特定の組成物、あるいはパクリタキセル、その誘導体、または塩を投与、送達、分配するために有用な成分の組み合わせ（即ち、１つ以上のパクリタキセル可溶化剤（複数でもよい）と任意のその他の賦形剤、希釈剤、またはキャリア）を意味する。「本発明の製剤」は、有効成分を含むこともあれば含まないこともある。好ましくは、本発明の製剤は、水性媒体中で、微粒子を含まない注射可能な溶液への再構成または溶解に適する。本発明の製剤はまた、無菌であることが好ましい。本発明の製剤の剤形は、固体、液体、半流動体、ゲル、懸濁液、乳濁液、または溶液であり得る。溶液は、水性および有機溶媒溶液の両方、およびその濃縮液を含む。
【００３４】
本願で使用する際、「濃縮液」とは、有効成分と１つ以上の本発明のパクリタキセル可溶化剤の溶液を意味し、好ましくは、投与前に水性媒体で希釈され得るエタノールのような有機溶媒中にある。濃縮液は、種々の量の水を含むことができるが、実質的には疎水性であることが好ましい。
固体は、粉末、圧縮された剤形、あるいは凍結乾燥された固体のようないずれかの固体状態にある剤形を含む。一つの実施形態では、本発明の製剤は、固体であって液体でない場合でも、水性媒体のような、注射可能で、微粒子を含まない、好ましくは無菌製剤に再構成するために適する。
【００３５】
「水性媒体」は、少なくとも水を含む。好ましくは、水性媒体は無菌であり、そして哺乳類への投与のために有効成分のキャリアとしての用途に適する。好ましい水性媒体の例は、限定はされないが、水、生理食塩液、リンゲル液、ならびにデキストロースおよびその他の電解質のような水混和性物質の溶液を含む。有効成分の非経口投与に適するその他の水性媒体は、“Ｒｅｍｉｎｇｔｏｎ： ｔｈｅ Ｓｃｉｅｎｃｅ ａｎｄ Ｐｒａｃｔｉｃｅ ｏｆ Ｐｈａｒｍａｃｙ”（Ｒｅｍｉｎｇｔｏｎ： 薬学の科学と実用）， Ａｌｆｏｎｓｏ Ｒ． Ｇｅｎｎａｒｏ編集， Ｍａｃｋ Ｐｕｂｌｉｓｈｉｎｇ Ｃｏ． Ｅａｓｔｏｎ， ＰＡ， 第１９版， １９９５， 第８７章に一覧されており、本願に参考文献として引用している。水性媒体は、パクリタキセル、その誘導体、または塩を可溶化するための本発明のパクリタキセル可溶化剤の能力を影響しないことが好ましい。
【００３６】
「薬剤として許容される塩（複数の場合あり）」という表現は、本願で使用する際は、生物学的有効性および遊離酸または遊離塩基としての特性を保持し、そしてさもなければ薬剤としての用途に許容されない、パクリタキセル誘導体の塩を意味する。パクリタキセル誘導体の薬剤として許容される塩は、パクリタキセル誘導体中に存在し得る酸基または塩基の塩として含まれる。本質的に塩基性であるパクリタキセル誘導体は、種々の無機および有機酸と広範な塩を形成し得る。そのような塩基性化合物の薬剤として許容される酸付加塩を調製するために使用し得る酸は、無毒性酸付加塩、即ち、塩化物、臭化物、ヨウ化物、硝酸塩、硫酸塩、重硫酸塩、リン酸塩、酸リン酸塩、イソニコチン酸塩、酢酸塩、乳酸塩、サリチル酸塩、クエン酸塩、酸クエン酸塩、酒石酸塩、パントテン酸塩、重酒石酸塩、アスコルビン酸塩、コハク酸塩、マレイン酸塩、ゲンチシン酸塩、フマル酸塩、グルコン酸塩、グルカン酸塩、糖酸塩、ギ酸塩、安息香酸塩、グルタミン酸塩、メタンスルホン酸塩、エタンスルホン酸塩、ベンゼンスルホン酸塩、ｐ−トルエンスルホン酸塩およびパモエート（即ち、１，１’−メチレン−ビス−（２−ヒドロキシ−２−ナフテン酸塩））を形成する酸である。アミノ部分を含むパクリタキセルの誘導体はまた、前述の酸の他に、種々のアミノ酸と薬剤として許容される塩を形成し得る。本質的に酸性であるパクリタキセル誘導体は、種々の無機および有機塩基と広範な塩を形成し得る。適切な塩基塩は、陽イオンを寄与して無毒性塩を形成する塩基から形成され、適切な陽イオンは、限定はされないが、ナトリウム、アルミニウム、カルシウム、リチウム、マグネシウム、カリウム、亜鉛、およびジエタノールアミン塩を含む。薬剤として許容される塩を調べるには、本願に参考文献として引用している、Ｂｅｒｇｅら， “Ｊ． Ｐｈａｒｍ． Ｓｃｉ．”， ６６， １〜１９ （１９７７）を参照。
【００３７】
本願で使用する際、「賦形剤」という用語は、有効成分を医薬品製剤中に処方するために使用される物質を意味し、好ましい実施形態では、賦形剤は、有効成分の主要な治療効果を低下させず、妨害もしない。好ましくは、賦形剤は、治療的には不活性である。「賦形剤」という用語は、キャリア、希釈剤、溶剤、可溶化剤、安定剤、および結合剤を包含する。賦形剤はまた、製造工程の間接的結果として医薬品製剤中に存在する物質であり得る。好ましくは、賦形剤は、ヒトと動物への投与について安全性がある、即ち、ＧＲＡＳ物質（安全性認定物質）、と認可されるかまたは見なされている。ＧＲＡＳ物質は、連邦政府規則集（ＣＦＲ）、２１ ＣＦＲ １８２ および ２１ ＣＦＲ １８４に一覧されており、本願に参考文献として引用している。
【００３８】
本願に使用する際、「アレイ」という表現は、一般的な実験に関連する複数の試料を意味し、各試料は、少なくともパクリタキセル、その誘導体、または塩（即ち有効成分）ならびに製剤成分を含む。アレイは、それを分析することによって有効成分と製剤成分間の相互作用（相互作用の欠如を含む）の検出または測定を可能にするデータセットを実現するためにデザインされる。アレイ試料は、少なくとも
（ｉ）製剤成分の正体、または
（ｉｉ）製剤成分に対する有効成分の割合
の一つに関して、その他のアレイ試料と異なる。
本発明によると、製剤成分に対する有効成分の割合は、そのような割合が試料の特性に測定可能な変化を誘導するために故意に変更されている試料間において異なる。
【００３９】
本願に使用する際、「特性」という用語は、試料の物理的または化学的特徴を意味する。好ましい特性は、投与前または後における製剤の有効性、安全性、安定性、または効用に関するものである。特性は、物理特性、例えば、限定はされないが、レオロジー、もろさ、安定度、溶解度、溶解性、および浸透性、好ましくは溶解性、を含む。「特性」という用語はまた、機械的特性、例えば、限定はされないが、圧縮性、コンパクタビリティ、および流体特性、も含む。
【００４０】
アレイは２４、３６、４８、９６またはそれ以上の試料を含むことができ、好ましくは１０００以上の試料、さらに好ましくは１０，０００以上の試料を含み得る。アレイは典型的には、１つ以上のサブアレイを含む。例えば、サブアレイは、試料ウェルの９６ウェルプレートであり得る。
本願に使用する際、「試料」という用語は、パクリタキセル、その誘導体、または塩（即ち、有効成分）および１つ以上の製剤成分の混合物を意味する。「試料」という用語は、アレイにおいてコントロールとして使用される同一試料の二重検、三重検等を包含する。換言すれば、コントロールを目的とする、複数の同一アレイ試料は、本発明の目的では同一試料と見なされる。好ましくは、１つの試料は２つ以上の製剤成分、さらに好ましくは３つ以上の製剤成分を含む。試料は、任意の容器またはホールダ内、あるいは任意の物質または表面の内または上に置くことができ、唯一の必要条件は、試料が、別々の部位に置かれることである。好ましくは、試料は、試料ウェル内、例えば、Ｍｉｌｌｉｐｏｒｅ， Ｂｅｄｆｏｒｄ， ＭＡから市販されている容量２５０ｕｌの２４、３６、４８、９６ウェルプレート（またはフィルタプレート）、に収容される。
【００４１】
本願で使用する際、「製剤成分」という表現は、試料中の有効成分以外の任意の物質を意味する。好ましくは、製剤成分は、治療的には不活性である。適切な製剤成分の例は、限定はされないが、賦形剤、溶媒、希釈剤、安定剤、およびそれらの組み合わせを含む。
本願で使用する際、「アルキル基」という用語は、飽和、一価、非分岐または分岐、炭化水素鎖を意味する。アルキル基の例は、限定はされないが、メチル、エチル、プロピル、イソプロピル、２−メチル−１−プロピル、２−メチル−２−プロピル、２−メチル−１−ブチル、３−メチル−１−ブチル、２−メチル−３−ブチル、２，２−ジメチル−１−プロピル、２−メチル−１−ペンチル、３−メチル−１−ペンチル、４−メチル−１−ペンチル、２−メチル−２−ペンチル、３−メチル−２−ペンチル、４−メチル−２−ペンチル、２，２−ジメチル−１−ブチル、３，３−ジメチル−１−ブチル、２−エチル−１−ブチル、ブチル、イソブチル、ｔ−ブチル、ペンチル、イソペンチル、ネオペンチル、ヘキシルのような（Ｃ１−Ｃ２５）アルキル基、およびヘプチル、ならびにオクチル、ノニル、デシル、ウンデシル、ドデシル、トリデシル、テトラデシル、ペンタデシル、ヘキサデシル、ヘプタデシル、オクタデシル、ノナデシル、イコサニル、ヘニコンサニル、ドコサニル、トリコサニル、テトラコサニル、およびペンタコサニルのような長鎖アルキル基を含む。アルキル基は、非置換型でもよいし、あるいは１つ以上の適切な置換基で置換されていてもよい。
【００４２】
「アルケニル基」は、１つ以上の二重結合を有する、一価、非分岐または分岐炭化水素を意味する。アルケニル基の二重結合は、非抱合型であってもよいし、他の不飽和基に抱合されていてもよい。適切なアルケニル基は、限定はされないが、ビニル、アリル、ブテニル、ペンテニル、ヘキセニル、ブタジエニル、ペンタジエニル、ヘキサジエニル、２−エチルヘキセニル、２−プロピル−２−ブテニル、４−（２−メチル−３−ブテン）−ペンテニル、ノネニル、デセニル、ウンデセニル、ドデセニル、トリデセニル、テトラデセニル、ペンタデセニル、ヘキサデセニル、ヘプタデセニル、オクタデセニル、ノナデセニル、イコサネニル、ヘニコンサネニル、ドコサネニル、トリコサネニル、テトラコサネニル、およびペンタコサネニルのような（Ｃ２−Ｃ２５）アルケニル基を含む。アルケニル基は、非置換型でもよいし、あるいは１つ以上の適切な置換基で置換されていてもよい。
【００４３】
「アルキニル基」は、１つ以上の三重結合を有する、一価、非分岐または分岐炭化水素を意味する。アルキニル基の三重結合は、非抱合型であってもよいし、他の不飽和基に抱合されていてもよい。適切なアルキニル基は、限定はされないが、エチニル、プロピニル、ブチニル、ペンチニル、ヘキシニル、メチルプロピニル、４−メチル−１−ブチニル、４−プロピル−２−ペンチニル、４−ブチル−２−ヘキシニル、ノニニル、デシニル、ウンデシニル、ドデシニル、トリデシニル、テトラデシニル、ペンタデシニル、ヘキサデセニル、ヘプタデシニル、オクタデシニル、ノナデシニル、イコサニニル、ヘニコンサニニル、ドコサニニル、トリコサニニル、テトラコサニニル、およびペンタコサニニルのような（Ｃ２−Ｃ２５）アルキニル基を含む。アルキニル基は、非置換型でもよいし、あるいは１つ以上の適切な置換基で置換されていてもよい。
【００４４】
「アリール基」は、炭素と水素原子を含む単環式または多環式芳香環を意味する。適切なアリール基の例は、限定はされないが、フェニル、トリル、アンタセニル、フルオレニル、インデニル、アズレニル、およびナフチル、ならびに５，６，７，８−テトラヒドロナフチルのようなベンゼン環縮合型の炭素環式部分を含む。アリール基は、非置換型でもよいし、あるいは１つ以上の適切な置換基で置換されていてもよい。好ましくは、アリール基は単環式の環であり、その環は６個の炭素原子を含み、本願では「（Ｃ６）アリール」として言及される。
【００４５】
「シクロアルキル基」は、炭素と水素原子を含み、さらに炭素−炭素の多重結合を有さない、単環式、または多環式飽和環を意味する。シクロアルキル基の例は、限定はされないが、シクロプロピル、シクロブチル、シクロペンチル、シクロヘキシル、およびシクロヘプチルのような（Ｃ３−Ｃ７）シクロアルキル基、ならびに飽和環式および二環式テルペン類を含む。シクロアルキル基は、非置換型でもよいし、あるいは１つ以上の適切な置換基で置換されていてもよい。好ましくは、シクロアルキル基は、単環式の環または二環式の環である。
【００４６】
「アルコキシ基」という用語は、上記のようにアルキル基が定義される、−Ｏ−アルキル基を意味する。アルコキシ基は、非置換型でもよいし、あるいは１つ以上の適切な置換基で置換されていてもよい。好ましくは、アルコキシ基のアルキル鎖は、鎖長が１〜２５炭素原子であり、本願では「−（Ｃ１−Ｃ２５）アルコキシ」として言及される。
【００４７】
「アリールオキシ基」という用語は、上記のようにアリール基が定義される、−Ｏ−アリール基を意味する。アリールオキシ基は、非置換型でもよいし、あるいは１つ以上の適切な置換基で置換されていてもよい。好ましくは、アリールオキシ基のアリール環は単環式の環であり、その環は６個の炭素原子を含み、本願では「（Ｃ６）アリールオキシ」として言及される。
【００４８】
「ベンジル」という用語は、−ＣＨ２−フェニルを意味する。
「フェニル」という用語は、−Ｃ６Ｈ５を意味する。フェニル基は、非置換型でもよいし、あるいは１つ以上の適切な置換基で置換されていてもよい。
「カルボニル」基は、式−Ｃ（Ｏ）−である二価基である。
「アルコキシカルボニル」基は、式−Ｃ（Ｏ）−アルコキシである、一価基を意味する。好ましくは、アルコキシカルボニル基の炭化水素鎖は、鎖長が１〜２５炭素原子である。
【００４９】
本願で使用する際は、「ハロゲン」とは、フッ素、塩素、臭素、またはヨウ素を意味する。それに対応して、「ハロ」および「ハル」という用語は、フルオロ、クロロ、ブロモ、およびヨードを包含する。
本願で使用する際は、「適切な置換基」とは、有効成分または本発明のパクリタキセル可溶化剤の合成または薬剤としての効用を無効にしない基を意味する。適切な置換基の例は、限定はされないが、以下を含む：（Ｃ１−Ｃ８）アルキル、（Ｃ１−Ｃ８）アルケニル、（Ｃ１−Ｃ８）アルキニル、（Ｃ６）アリール、（Ｃ２−Ｃ５）ヘテロアリール、（Ｃ３−Ｃ７）シクロアルキル、（Ｃ１−Ｃ８）アルコキシ、（Ｃ６）アリールオキシ、ＣＮ、ＯＨ、オキソ、ハロ、ＣＯ２Ｈ、ＮＨ２、ＮＨ（（Ｃ１−Ｃ８）アルキル）、Ｎ（（Ｃ１−Ｃ８）アルキル）２、ＮＨ（（Ｃ６）アリール）、Ｎ（（Ｃ６）アリール）２、ＣＨＯ、ＣＯ（（Ｃ１−Ｃ８）アルキル）、ＣＯ（（Ｃ６）アリール）、ＣＯ２（（Ｃ１−Ｃ８）アルキル）、ならびにＣＯ２（（Ｃ６）アリ−ル）。当業者は、本発明のパクリタキセル可溶化剤の安定性および薬理学的ならびに合成活性に基づいて、適切な置換基を容易に選択できる。
【００５０】
本願で使用する際は、「ＰＥＧ−ビタミンＥ」は、下記の化合物を意味する。
【００５１】
【化２】
2004536026.tif 000003
【００５２】
式中、変数ｘは０または１、そして変数ｎは約１〜約２０，０００、好ましくは約３〜約１０００である。好ましくは、ＰＥＧ−ビタミンＥは、α−トコフェリルポリエチレングリコール１０００コハク酸塩であり、本願ではトコフェルソランとして言及されている（Ｅａｓｔｍａｎ Ｃｈｅｍｉｃａｌ Ｃｏ． からビタミンＥ  ＴＰＧＳ  ＮＦの商標名で販売されている）。トコフェルソランでは、ｘは１およびｎは平均値２２を有する。その他の好ましいＰＥＧ−ビタミンＥ類は、トコフェレス−５、トコフェレス−１０、トコフェレス−１２、トコフェレス−１８、ならびにトコフェレス−５０を含む。そのようなトコフェレスでは、ｘは０および平均エトキシル化値はそれぞれ５、１０、１２、１８、５０である。ＰＥＧ−ビタミンＥ類は、例えば、Ｅａｓｔｍａｎ Ｃｈｅｍｉｃａｌ Ｃｏ．， Ｋｉｎｇｓｐｏｒｔ， ＴＮ およびＰａｃｉｆｉｃ Ｃｏｒｐｏｒａｔｉｏｎ， Ｓｅｏｕｌ， Ｋｏｒｅａから市販されている。
【００５３】
本願に使用する際は、第四級アンモニウム塩は、下記の一般式で表される化合物を意味する：
【００５４】
【化３】
2004536026.tif 000004
【００５５】
式中、Ｒ１、Ｒ２、Ｒ３、Ｒ４は、（Ｃ１−Ｃ２５）アルキル、アリール、（Ｃ１−Ｃ２５）アルキルアリール、（Ｃ２−Ｃ２５）アルケニル、（Ｃ２−Ｃ２５）アルキニル、（Ｃ２−Ｃ２５）アルケニルアリール、（Ｃ２−Ｃ２５）アルキニルアリール、フェニル、ならびにベンジルから成る群から個別に選択される。
Ｘ基は適切な陰イオンであり、例えば、限定はされないが、ハロゲン化物、酢酸塩、ベンゼンスルホン酸、安息香酸塩、炭酸水素塩、重酒石酸塩、エデト酸カルシウム、カムシル酸塩、炭酸塩、クエン酸塩、エデト酸塩、エジシル酸塩、エシル酸塩、フマル酸塩、グルセプト酸塩、グルコン酸塩、グルタミン酸塩、グリコリルアルサニル酸塩、ヘキシルレソルシン酸塩、ヒドラバミン、臭化水素酸塩、ヒドロキシナフトエ酸塩、イセチオン酸塩、乳酸塩、ラクトビオン酸、リンゴ酸塩、マレイン酸塩、マンデル酸塩、メシル酸塩、メチル臭化物、メチル硝酸塩、メチル硫酸塩、ムスク酸塩、ナプシル酸塩、硝酸塩、パモ酸塩（エンボン酸塩）、パントテン酸塩、リン酸塩／二リン酸塩、ポリガラクツロン酸塩、サリチル酸塩、ステアリン酸塩、塩基性酢酸、コハク酸塩、硫酸塩、タンニン酸塩、酒石酸塩、テオクル酸塩、およびトリエトヨウ化物である。好ましい第四級アンモニウム塩類は、限定はされないが、塩化ベンゼトニウム、塩化ベンザルコニウム、およびセトリミドを含む。
【００５６】
本願で使用する際は、「脂肪族アルコールのポリエチレングリコール（ＰＥＧ−脂肪族アルコール）」とは、下記の式で表される化合物を意味する：
【００５７】
【化４】
2004536026.tif 000005
【００５８】
式中、ｎは、平均値が約１〜７５で、変数「Ａ」は、オプションとして存在する１つ以上の炭素−炭素二重結合、変数「Ｂ」は（Ｃ１−Ｃ１５）アルキル基を示す。好ましいＰＥＧ−脂肪族アルコール類は、オクトキシノール、オレス、およびラウレスである。本願で使用する際は、「オクトキシノール」は、下記の式で表される化合物である：
【００５９】
【化５】
2004536026.tif 000006
【００６０】
式中、ｎは平均値が約１〜７５の整数で、好ましくは、ｎの平均値は１、３、５、７、８、９、１０、１１、 １２、１３、１６、２０、２５、３０、３３、４０、または ７０であり、さらに好ましくはｎの平均値は約７〜１２であり、それよりさらに好ましくは約９である。好ましいオクトキシノールは、オクトキシノール−９（Ｔｒｉｔｏｎ（商標）Ｘ−１００）を含む。オクトキシノールは、例えば、ＴＲＩＴＯＮの商標名でＲｈｏｎｅ−Ｐｏｕｌｅｎｃ， Ｓｈｅｌｔｏｎ， ＣＴから市販されている。
【００６１】
本願で使用する際は、「オレス」は、下記の式で表される化合物である：
【００６２】
【化６】
2004536026.tif 000007
【００６３】
式中、ｎは約１〜約５５の平均値を有する整数で、好ましくは、ｎの平均値は、２、３、４、５、６、７、８、９、１０、１１、１２、１５、１６、２０、２５、４０、４４、または５０であり、さらに好ましくは、ｎの平均値は約７〜１２であり、それよりさらに好ましくは約９である。オレスは、例えば、ＢＲＩＪの商標名でＩＣＩ Ｓｕｒｆａｃｔａｎｔｓ， Ｗｉｌｍｉｎｇｔｏｎ， ＤＥ から、あるいはＨＥＴＯＸＯＬの商標名でＨｅｔｅｒｅｎｅ， Ｉｎｃ．， Ｐａｔｅｒｓｏｎ， ＮＪ から市販されている。
【００６４】
本願で使用する際は、「ラウレス」は、下記の式で表される化合物である：
【００６５】
【化７】
2004536026.tif 000008
【００６６】
式中、ｎは平均値が約１〜５５の整数で、好ましくは、ｎの平均値は１、２、３、４、５、６、７、８、９、１０、１１、１２、１５、１６、２０、２３、２５、３０、または４０であり、さらに好ましくはｎの平均値は約７〜１２であり、それよりさらに好ましくは約２３である（即ち、ラウレス２３は、ＢＲＩＪ ３５， ＩＣＩ Ｓｕｒｆａｃｔａｎｔｓとして知られている）。ラウレスは、例えば、ＢＲＩＪの商標名でＩＣＩ Ｓｕｒｆａｃｔａｎｔｓ， Ｗｉｌｍｉｎｇｔｏｎ， ＤＥ から、ＲＨＯＤＡＳＵＲＦの商標名でＲｈｏｎｅ−Ｐｏｕｌｅｎｃ， Ｓｈｅｌｔｏｎ， ＣＴから市販されている。
【００６７】
本願に使用する際は、「ポリソルベート」は、下記の一般式で表される化合物を意味する：
【００６８】
【化８】
2004536026.tif 000009
【００６９】
式中、Ｗ＋Ｘ＋Ｙ＋Ｚの合計は平均値が約５、４、または２０の整数で、Ｒ５、Ｒ６、Ｒ７は個別に、Ｈ、下記の
【００７０】
【化９】
2004536026.tif 000010
【００７１】
であって、またｎは８〜２０の範囲の整数である。好ましいポリソルベート類は、ポリソルベート２０、２１、４０、６０、６１、６５、８０、８１、８５であり、さらに好ましくは、ポリソルベート２０またはポリソルベート８０である。ポリソルベートは、ＴＷＥＥＮの商標名でＲｈｏｎｅ−Ｐｏｕｌｅｎｃ， Ｓｈｅｌｔｏｎ， ＣＴから市販されている。
【００７２】
本願で使用する際、「ポリエチレングリコールモノ脂肪酸エステル」（ＰＥＧ−モノ脂肪酸エステル）は、下記の一般式で表される化合物を意味する：
【００７３】
【化１０】
2004536026.tif 000011
【００７４】
式中、Ｒ８は実質的に純正な（Ｃ１−Ｃ２５）アルキル、（Ｃ２−Ｃ２５）アルケニル 、または（Ｃ２−Ｃ２５）アルキニルである。
本願で使用する際は、「実質的に純正」とは、少なくとも約８５％のポリエチレングリコールモノ脂肪酸エステルが一つのポリエチレングリコールモノ脂肪酸エステルであり、約９５％であることが好ましい。変数ｍは、平均値が２〜２００、好ましくは６〜１５０、より好ましくは１０〜５０の整数である。好ましくは、Ｒ８は、（Ｃ８−Ｃ２０）または（Ｃ８−Ｃ２０）アルケニルである。好ましくは、Ｒ８（ＣＯ）Ｏはラウリン酸塩、オレイン酸塩、またはステアリン酸塩である。好ましいＰＥＧ−モノ脂肪酸エステルは、限定はされないが、モノラウリン酸ＰＥＧ−２０、モノオレイン酸ＰＥＧ−２０、およびモノステアリン酸ＰＥＧ−２０を含む。
【００７５】
本願で使用する際は、「ポリエチレングリコール−グリセリル脂肪酸エステル」（ＰＥＧ−グリセリル脂肪酸エステル）は、下記の一般式で表される化合物を意味する：
【００７６】
【化１１】
2004536026.tif 000012
【００７７】
式中、Ｒ９は、それぞれ独立してＯＨ、ＯＣＯＲ８、（ＯＣＨ２ＣＨ２）ｍＯＨまたは （ＯＣＨ２ＣＨ２）ｍＯＣＯＲ８、ここで
（ａ）Ｒ９の少なくとも一つがＯＣＯＲ８、そしてＲ９の一つが（ＯＣＨ２ＣＨ２）ｍＯＨ、または
（ｂ）Ｒ９の少なくとも一つが（ＯＣＨ２ＣＨ２）ｍＯＣＯＲ８である。
【００７８】
Ｒ８は、（Ｃ１−Ｃ２５）アルキル、（Ｃ２−Ｃ２５）アルケニル、または（Ｃ２−Ｃ２５）アルキニルである。そして変数ｍは、平均値が２〜２００、好ましくは６〜１５０、さらに好ましくは１０〜５０の整数である。
好ましくは、Ｒ８は、（Ｃ８−Ｃ２０） または（Ｃ８−Ｃ２０）アルケニルである。好ましくは、Ｒ８（ＣＯ）Ｏはラウリン酸塩、オレイン酸塩、またはステアリン酸塩である。
【００７９】
ＰＥＧ−グリセリル脂肪酸エステルのサブクラスは下記の式で表される：
【００８０】
【化１２】
2004536026.tif 000013
【００８１】
式中、Ｒ８は、（Ｃ１−Ｃ２５）アルキル、（Ｃ２−Ｃ２５）アルケニル、または（Ｃ２−Ｃ２５）アルキニルである。そして、Ｒ９はそれぞれ独立して、ＯＨ、ＯＣＯＲ８、（ＯＣＨ２ＣＨ２）ｍＯＨ、または（ＯＣＨ２ＣＨ２）ｍＯＣＯＲ８であり、少なくとも一つの Ｒ９が（ＯＣＨ２ＣＨ２）ｍＯＨまたは（ＯＣＨ２ＣＨ２）ｍＯＣＯＲ８である。変数ｍは、平均値が２〜２００、好ましくは６〜１５０、より好ましくは１０〜５０の整数である。好ましくは、Ｒ８は（Ｃ８−Ｃ２０）または （Ｃ８−Ｃ２０）アルケニルである。好ましくは、Ｒ８（ＣＯ）Ｏはラウリン酸塩、オレイン酸塩、またはステアリン酸塩である。
【００８２】
ＰＥＧ−グリセリル脂肪酸エステルのさらなるサブクラスは下記の式１３で表される：
【００８３】
【化１３】
2004536026.tif 000014
【００８４】
式中、Ｒ８は上記に定義されている。好ましいＰＥＧ−グリセリル脂肪酸エステル類は、限定はされないが、モノラウリン酸ＰＥＧ−２０グリセリル、モノオレイン酸ＰＥＧ−２０グリセリル、およびモノステアリン酸ＰＥＧ−２０グリセリルを含む。
【００８５】
【発明の実施の形態】
本発明は、パクリタキセル、その誘導体、または薬剤として許容される塩を含むクレモフォールを含まない製剤、および哺乳類、特にヒト、において有用である１つ以上のパクリタキセル可溶化剤を包含する。本発明のパクリタキセル可溶化剤は、ＰＥＧ−ビタミンＥ類、第四級アンモニウム塩類、ＰＥＧ−モノ脂肪酸エステル類、ＰＥＧ−グリセリル脂肪酸エステル類、ポリソルベート類、ＰＥＧ−脂肪族アルコール類のクラスに属する化合物を含む。これらの製剤は、それらがクレモフォールを含まないため、したがってクレモフォール製剤の毒性ならびにその他の不利点を回避または減少することにおいて有利である。本発明の製剤はまた、パクリタキセルを水性媒体に可溶化し、かくしてパクリタキセルが実質的に水不溶性であるために特に有利である。
【００８６】
本発明の製剤は、哺乳類のガンおよびパクリタキセルによって治療可能なその他の医学的状態を治療するために有用である。「治療すること」とは、部分的または完全な寛解を誘導するために、例えば、微小管の形成を促進することによって細胞分裂を阻害するような、ガン細胞増殖の速度を抑制するか、あるいは低下させるために、製剤が投与されることを意味する。例えば、本発明の製剤は、充実性腫瘍および血液性腫瘍の治療に有用である。本発明の製剤によって治療可能または予防可能なガンの例は、限定はされないが、リンパ節、乳房、頚、子宮、胃腸管、肺、卵巣、前立腺、口、脳、頭部、頚部、咽喉、精巣、腎臓、膵臓、骨、脾臓、肝臓、膀胱、皮膚、喉頭、鼻腔のガン、ＡＩＤＳ関連ガン、ならびに血液のガンを含む。製剤は、単独で使用されてもよいし、あるいはその他の化学療法剤と併用されてもよい。ヒトガン患者におけるパクリタキセル、その誘導体、および薬剤として許容される塩の投与の様式、用量、ならびにスケジュールは、広範にわたって研究されている。例えば、本願に参考文献として引用している１９８９ “Ａｎｎ． Ｉｎｔ． Ｍｅｄ．”， １１１：２７３〜２７９を参照されよう。
【００８７】
本発明は、固体、液体、半流動体、ゲル、懸濁液、乳濁液、または溶液形状にある、パクリタキセル、その誘導体、および薬剤として許容される塩の一回量および複数回量の剤形のどちらも包含する。一つの実施形態では、本発明は、一回量と複数回量の剤形に関する。他の実施形態では、本発明は、濃縮液、固体、半流動体、およびさらなる製剤用の濃縮状のゲル（例：凍結乾燥された固体ならびに非経口投与前に再構成される濃縮液）の一回量と複数回量の剤形に関する。剤形が濃縮液である本発明の製剤は、好ましくは、投与前に水性媒体で希釈される、エタノールまたは水性エタノールのような、有機溶媒中にある。製剤は、取り扱いが簡単で、保管と輸送に安定性があり、ならびに過去のパクリタキセル製剤に比べて製造コストが安いことが好ましい。好ましくは、本発明の製剤は無菌である。
【００８８】
本発明の製剤は、公知の医薬品製剤処方を用いて、有効成分、本発明の可溶化剤、およびその他の成分を配合することによって調製できる。静脈内投与用のような液体の剤形の製剤処方は、“Ｒｅｍｉｎｇｔｏｎ： ｔｈｅ Ｓｃｉｅｎｃｅ ａｎｄ Ｐｒａｃｔｉｃｅ ｏｆ Ｐｈａｒｍａｃｙ”（Ｒｅｍｉｎｇｔｏｎ： 薬学の科学と実用）， Ａｌｆｏｎｓｏ Ｒ． Ｇｅｎｎａｒｏ 編集、 Ｍａｃｋ Ｐｕｂｌｉｓｈｉｎｇ Ｃｏ． Ｅａｓｔｏｎ， ＰＡ， 第１９版， １９９５， 第８７と８８章に記述されており、本願明細書に参考文献として引用している。粉末、錠剤、丸薬、カプセルのような固体の剤形の製剤処方に関する包括的な考察は、“Ｒｅｍｉｎｇｔｏｎ： ｔｈｅ Ｓｃｉｅｎｃｅ ａｎｄ Ｐｒａｃｔｉｃｅ ｏｆ Ｐｈａｒｍａｃｙ”（Ｒｅｍｉｎｇｔｏｎ： 薬学の科学と実用）， Ａｌｆｏｎｓｏ Ｒ． Ｇｅｎｎａｒｏ 編集、 Ｍａｃｋ Ｐｕｂｌｉｓｈｉｎｇ Ｃｏ． Ｅａｓｔｏｎ， ＰＡ， 第１９版， １９９５， 第９１と９２章に示されており、本願明細書に参考文献として引用している。溶液、乳濁液、および懸濁液の製剤処方に関する包括的な考察は、“Ｒｅｍｉｎｇｔｏｎ： ｔｈｅ Ｓｃｉｅｎｃｅ ａｎｄ Ｐｒａｃｔｉｃｅ ｏｆ Ｐｈａｒｍａｃｙ”（Ｒｅｍｉｎｇｔｏｎ： 薬学の科学と実用）， Ａｌｆｏｎｓｏ Ｒ． Ｇｅｎｎａｒｏ 編集、 Ｍａｃｋ Ｐｕｂｌｉｓｈｉｎｇ Ｃｏ． Ｅａｓｔｏｎ， ＰＡ， 第１９版， １９９５， 第８６章に示されており、本願明細書に参考文献として引用している。有効成分を含有するゲルおよび半流動体の剤形にある本発明の製剤は、公知の方法にしたがって調製できる。例えば、有効成分を、標準Ｖブレンダー中で本発明のパクリタキセル可溶化剤、および任意のその他の成分または賦形剤と混合することによる。好ましくは、再構成には、固体（例：凍結乾燥された固体）、濃縮液、半流動体、ゲル、懸濁液、および乳濁液は、有効成分を約２５ミリグラム〜約２５００ミリグラム、さらに好ましくは、約５０ミリグラム〜約５００ミリグラム含む。
【００８９】
本発明のパクリタキセル可溶化剤は、本発明の製剤中では、水性媒体中でパクリタキセル、その誘導体、および薬剤として許容される塩の溶解度を増強する量が使用される。パクリタキセル、その誘導体、および薬剤として許容される塩の水溶解度を増強する特定のパクリタキセル可溶化剤とその組み合わせを指定する本開示を利用して、当業者は、簡単な溶解度実験によって適切なパクリタキセル可溶化剤量を容易に決定できる。例えば、パクリタキセル可溶化剤と有効成分を混合し、生成された混合物を水性媒体に接触させ、濾過して、そして溶解された有効成分量を、例えば分光光度法によって、測定することによる。
【００９０】
一つの実施形態では、本発明の製剤中のパクリタキセル可溶化剤の量（複数でもよい）は、有効成分量に対する割合として表現することができる。これは、本発明の製剤を液体以外の剤形、例：固体、半流動体、ゲル、懸濁液、または乳濁液、に、例えば、凍結乾燥による固体として製剤処方する際に特に有用である。パクリタキセル、その誘導体、および薬剤として許容される塩に対するパクリタキセル可溶化剤の好ましい割合は、以下のようである：
【００９１】
【表１】
2004536026.tif 000015
【００９２】
他の実施形態では、本発明の製剤は水性媒体を含む。好ましくは、そのような製剤は、非経口投与に適する。本実施形態では、パクリタキセル、その誘導体、または薬剤として許容される塩の好ましい濃度は、約０．２ｍｇ／ｍｌ〜約３ｍｇ／ｍｌ、さらに好ましくは約０．３ｍｇ／ｍｌ〜約１．２ｍｇ／ｍｌである。水性パクリタキセル溶液と使用するための本発明のパクリタキセル可溶化剤の好ましい濃度は以下のようである：
【００９３】
【表２】
2004536026.tif 000016
【００９４】
他の実施形態では、本発明の製剤は、濃縮液の剤形をとる。製剤が非経口投与前に希釈されるべきであることを意味する濃縮液は、好ましくは、水性媒体で希釈される。好ましくは、本発明の濃縮液は、重量比で約５％以下、さらに好ましくは約１％以下の水を有し、それよりもさらに好ましくは、濃縮液は実質的に疎水性である。好ましくは、本発明の濃縮液中のパクリタキセル濃度は、約３ｍｇ／ｍｌ〜約１０ｍｇ／ｍｌであり、さらに好ましくは約６ｍｇ／ｍｌである。本発明のパクリタキセル可溶化剤は、本発明の濃縮液製剤を重量比で約０．１％〜約９９％含み得る。好ましくは、本発明の濃縮液は、全可溶化剤重量の約２０％〜約９９％、例えば、１つ以上のＰＥＧ−ビタミンＥ、ＰＥＧ−モノ脂肪酸エステル、ＰＥＧ−グリセリル脂肪酸エステル、ポリソルベート、またはＰＥＧ−脂肪族アルコールを総計した量の約２０％〜約９９％を含む。したがって、好ましくは、濃縮液製剤において、本発明による一つのパクリタキセル可溶化剤が、本発明の１つ以上のパクリタキセル可溶化剤と併用される際は、全パクリタキセル可溶化剤の重量パーセントは、約２０％〜約９９％である。好ましくは、濃縮液製剤においてパクリタキセル可溶化剤の配合が使用される場合、それぞれ個別のパクリタキセル可溶化剤（第四級アンモニウム塩のクラスを除く）は、重量比で、全パクリタキセル可溶化剤重量の少なくとも５％を示す。第四級アンモニウム塩が本発明の濃縮液製剤に含まれる場合、好ましい濃度は約０．００５ｍｇ／ｍｌ〜約５ｍｇ／ｍｌである。
【００９５】
本発明の好ましい濃縮液製剤（即ち、製剤処方１〜１３）のいくつかを以下に示す。
【００９６】
【表３】
2004536026.tif 000017
【００９７】
【表４】
2004536026.tif 000018
【００９８】
【表５】
2004536026.tif 000019
【００９９】
【表６】
2004536026.tif 000020
【０１００】
【表７】
2004536026.tif 000021
【０１０１】
【表８】
2004536026.tif 000022
【０１０２】
【表９】
2004536026.tif 000023
【０１０３】
【表１０】
2004536026.tif 000024
【０１０４】
【表１１】
2004536026.tif 000025
【０１０５】
【表１２】
2004536026.tif 000026
【０１０６】
【表１３】
2004536026.tif 000027
【０１０７】
【表１４】
2004536026.tif 000028
【０１０８】
【表１５】
2004536026.tif 000029
【０１０９】
本発明の製剤は、薬剤として許容されるその他の賦形剤を含んでもよい。好ましいその他の賦形剤は、本発明のパクリタキセル可溶化剤のパクリタキセルを溶解する能力を影響しない。静脈内投与用の好ましい他の賦形剤は、水、生理食塩水、リンゲル液、またはデキストロース溶液のような水性溶剤である。結合剤と充填剤のような適切な賦形剤のその他の例は、“Ｒｅｍｉｎｇｔｏｎ： ｔｈｅ Ｓｃｉｅｎｃｅ ａｎｄ Ｐｒａｃｔｉｃｅ ｏｆ Ｐｈａｒｍａｃｙ”（Ｒｅｍｉｎｇｔｏｎ： 薬学の科学と実用）， 第１８版， Ａｌｆｏｎｓｏ Ｒ． Ｇｅｎｎａｒｏ 編集、 Ｍａｃｋ Ｐｕｂｌｉｓｈｉｎｇ Ｃｏ． Ｅａｓｔｏｎ， ＰＡ， １９９５および“Ｈａｎｄｂｏｏｋ ｏｆ Ｐｈａｒｍａｃｅｕｔｉｃａｌ Ｅｘｃｉｐｉｅｎｔｓ”（医薬用賦形剤ハンドブック）， 第３版， Ａｒｔｈｕｒ Ｈ． Ｋｉｂｂｅ編集， Ａｍｅｒｉｃａｎ Ｐｈａｒｍａｃｅｕｔｉｃａｌ Ａｓｓｏｃｉａｔｉｏｎ， Ｗａｓｈｉｎｇｔｏｎ Ｄ．Ｃ． ２０００に一覧されている。いかなる賦形剤が本製剤中に組み込まれたとしても、添加時に賦形剤が無菌であること、あるいは製剤を滅菌する同一工程中に滅菌されることが好ましい。
【０１１０】
本発明の製剤の投与は、全身的あるいは局所的であり得る。ほとんどの場合、哺乳類への投与の結果、有効成分の全身的（即ち、血流中への）放出が生じる。投与方法は、経口投与のような腸内ルート、局所、経皮および皮内投与のような局所ルート、ならびに静脈内注射のような非経口ルートを含む。好ましくは、本発明の製剤は静脈内に投与される。
【０１１１】
典型的には、非経口投与のための本発明の製剤は、水、生理食塩水、リンゲル液、またはデキストロース溶液のような無菌の等張性水性溶剤に含有される溶液である。静脈内投与用製剤は、注射部位の疼痛を緩和するためにリグノカインのような局所麻酔薬をオプションとして含むことがある。非経口投与には、本発明の製剤は、有効成分量が表示されている容器である、アンプルまたは輸液バッグのような密閉シールされた容器中の無菌、乾燥状態にある凍結乾燥粉末または水を含まない濃縮液として供給され得る。そのような粉末または濃縮物は次に、投与前に適正な水性媒体で希釈される。アンプル入りの滅菌水、生理食塩水、またはその他の適正な水性媒体が、投与前に有効成分を希釈するために、別の容器に入っている粉末または濃縮物と共に提供され得る。あるいは、製剤は、そのまま投与できるプレミックスの剤形として供給されることもある。
【０１１２】
本発明のさらなる実施形態は、滅菌ステップを含む。滅菌は、いくつかの方法、例えば、細菌学的フィルタの使用、組成物中への滅菌剤の組み込み、照射、または加熱による、いくつかの方法で実行することができる。滅菌は、例えば、０．２μｍポアサイズのフィルタを通過させる濾過によって成し遂げられる。当業者に公知であるその他の滅菌法をまた利用してもよい。
【０１１３】
非経口用の水性の剤形を製剤処方するためには、例えば、生理食塩水または精製水のような水性媒体、パクリタキセル可溶化剤、および任意のその他の成分を消毒済み装置中で混合し、濾過してから、当該分野に公知の方法にしたがって包装する（解説については、例えば、“Ｒｅｍｉｎｇｔｏｎ： ｔｈｅ Ｓｃｉｅｎｃｅ ａｎｄ Ｐｒａｃｔｉｃｅ ｏｆ Ｐｈａｒｍａｃｙ”（Ｒｅｍｉｎｇｔｏｎ： 薬学の科学と実用）， Ａｌｆｏｎｓｏ Ｒ． Ｇｅｎｎａｒｏ 編集、 Ｍａｃｋ Ｐｕｂｌｉｓｈｉｎｇ Ｃｏ． Ｅａｓｔｏｎ， ＰＡ， 第１９版， １９９５， 第８７章を参照）。非経口投与では、用量は、もちろん、効力、患者体重、および患者の状態の本質に基づく特定の有効成分の効力によって変化する。静脈内投与のための好ましい用量は、Ｔｈｅ Ｐｈｙｓｉｃｉａｎ’ｓ Ｄｅｓｋ Ｒｅｆｅｒｅｎｃｅ（医家向け医薬品便覧）， 第５４版， ８８１〜８８７， Ｍｅｄｉｃａｌ Ｅｃｏｎｏｍｉｃｓ Ｃｏｍｐａｎｙ （２０００）に一覧されている。用量は典型的には、約１３５ｍｇ／ｍ２〜４００ｍｇ／ｍ２の範囲、好ましくは、１７５ｍｇ／ｍ２、さらに好ましくは、２００ｍｇ／ｍ２である。ガン治療分野を専門とする腫瘍専門医は、パクリタキセル、その誘導体、および薬剤として許容される塩に関する過去の研究あるいは、医学参考書に一覧される用量を参照することによって、本発明の製剤の有効な投与のための適正なプロトコルを把握することができるであろう。
【０１１４】
経口送達のための本発明の製剤の剤形は、好ましくは、カプセル、錠剤、丸薬、ソフトゲルカプセル、乳濁液、溶液、または懸濁液である。経口用組成物は、標準溶剤、賦形剤、および希釈剤を含むことができる。本発明の経口投与用製剤は、薬剤として味の良い調製物を実現するために、１つ以上の甘味剤および１つ以上の香味剤をオプションとして含むことができる。本発明の製剤の治療有効な経口用量は、医療専門家の判断にしたがう標準臨床方法によって決定される。例えば、医学参考書および医薬品文献に提供される情報の他に、最適用量の同定を補助するために公知のインビトロまたはインビボ検定法を使用することができる。
【０１１５】
経皮用の剤形を製剤処方して投与するためには、パッチのような公知の経皮送達デバイスを使用することができる（Ｇｈｏｓｈ， Ｔ．Ｋ．，Ｐｆｉｓｔｅｒ， Ｗ．Ｒ．、 Ｙｕｍ， Ｓ．Ｉ． “Ｔｒａｎｓｄｅｒｍａｌ ａｎｄ Ｔｏｐｉｃａｌ Ｄｒｕｇ Ｄｅｌｉｖｅｒｙ Ｓｙｓｔｅｍｓ”（経皮ならびに局所薬物送達システム）， Ｉｎｔｅｒｐｈａｒｍ Ｐｒｅｓｓ， Ｉｎｃ． ２４９〜２９７ページ）。例えば、レザバータイプのパッチデザインは、接着剤で被われたバッキングフィルム、および本発明の製剤を含み、半透過性膜によって皮膚から分離されている、レザバーコンパートメントを含み得る（例えば、米国特許番号４，６１５，６９９号、本願に参考文献として引用している）。接着剤で被われたバッキングレイヤーは、レザバーの境界周辺に伸びて、皮膚に同心円のシールを提供し、さらにレザバーを皮膚に隣接して支える。
【０１１６】
局所用の剤形を製剤処方ならびに投与するためには、ローション、クリーム、および軟膏のような公知の媒体が使用できる。
本製剤は、その他の有効成分を含むことができ、かくして併用療法のための基礎製剤として作用できる。そのようなその他の有効成分は、製剤自体（例えば、希釈済みまたは再構成用の剤形）中に含まれて分配されるか、あるいは投与前に製剤に添加してもよい。例えば、本発明の製剤およびその他の有効成分は、投与前に輸液バック内で配合され得る。追加される有効成分は、従来パクリタキセルと併用投与された任意の医薬品、例えば、限定はされないが、シスプラチン、カルボプラチン、タモキシフェン、エピルビシン、ロイプロリド、ビカルタミド、ゴセレリンインプラント、イリノテカン、ゲムチタビン、およびサルグラモスチムまたは薬剤として許容されるそれらの塩のようなその他の化学療法剤、好ましくはシスプラチンであり得る。したがって、本発明の製剤は、有効成分、本発明のパクリタキセル可溶化剤、およびパクリタキセルとの同時投与に適するその他の有効成分を包含する。
【０１１７】
本発明の製剤は、投与前に水性媒体中で希釈するための非水性の液体−溶液濃縮物として包装ならびに配送することができる。例えば、剤形が濃縮液または凍結乾燥固体である本製剤は、輸液バック中に添加して、静脈内注入前に水性媒体で希釈することができる。好ましくは、そのような濃縮物は、非水溶媒、有効成分、および本発明のパクリタキセル可溶化剤を一つ以上含む。好ましくは、非水溶媒は、エタノールのような有機溶媒である。したがって、剤形が濃縮液である本発明の製剤は、エタノール溶液として包装することができ、例えば、３０ｍｇのパクリタキセル、パクリタキセル可溶化剤、および約０．２ｍｌ〜約３ｍｌのエタノールを含む複数回量のバイアル、または１００ｍｇのパクリタキセル、パクリタキセル可溶化剤、および約０．６ｍｌ〜約１０ｍｌのエタノールを含む複数回量のバイアルに包装することができる。
【０１１８】
本発明の製剤は、適正な無菌希釈剤によって再構成されると、製剤を迅速に溶解して、その場所で、投与のために望ましい有効成分濃度の適正な無菌溶液を提供することが可能な容器に入れて配送され得る。本願で使用する際は、「適切な容器」という用語は、バイアル、包装、または瓶のような無菌環境を維持することができ、ストッパー手段によって密閉シールされた真空乾燥製品の配達を可能にする容器を意味する。さらに、適切な容器は、真空乾燥された組成物の再構成に際して収容される溶液量を考慮して、サイズの適合性、ならびに一般的にはタイプＩガラスである、容器の材料の適合性を含意する。使用されるストッパー手段、例えば滅菌ゴム栓またはその等価物は、先述のシールを供与するが、しかし所望する有効成分溶液の再構成用の希釈剤、例えば注射用滅菌水、米国薬局法、正常生理食塩水、米国薬局法、または５％デキストロース水溶液、米国薬局法、の導入目的のエントリを可能にするものであることが理解されなければならない。本発明の容器のような医薬品用容器の適合性のこれらならびにその他の態様は、製薬分野の当業者には公知である。
【０１１９】
本発明は、以下の非限定例を参照することによってさらに理解されよう。以下の例は、説明目的に提供されており、いかなる方式においても本発明の範囲を限定するものとは解釈されるべきではない。
【０１２０】
【実施例】
［実施例１：溶解度が改善された水性パクリタキセル製剤の調製ならびに同定］  それぞれがパクリタキセルと表１６に一覧する賦形剤の種々な組み合わせと濃度を含む、複数の水性製剤を調製して、パクリタキセルを溶解するその能力について系統的に分析を行った。
【０１２１】
表１６に一覧するＧＲＡＳ（安全性認定物質）賦形剤は全てＳｉｇｍａ−Ａｌｄｒｉｃｈ Ｆｉｎｅ Ｃｈｅｍｉｃａｌｓ、ＢＡＳＦ、またはその他の商業サプライヤーから購入できる。
【０１２２】
【表１６】
2004536026.tif 000030
【０１２３】
［溶解度が改善された製剤の調製］
１ｍｌのエタノール当たり約１０ミリグラムのパクリタキセルを含む原液を調製した。次に複数の賦形剤を表１６から選択して、選択されたそれぞれの賦形剤を、例えば、約１２０ｍｇ／ｍｌ、約６０ｍｇ／ｍｌ、および約３０ｍｇ／ｍｌのように、例えば、それぞれが３つの設定された濃度の１つである３つの生理食塩水原液として、種々な濃度の水溶液を調製した。次にそれぞれが約１２μｌのパクリタキセル／エタノール溶液（約１２０μｇパクリタキセル／試料ウェル）と賦形剤原液の１〜３を約９０μｌを含む製剤の全ての順列を調製した。
【０１２４】
賦形剤原液とパクリタキセルの全ての順列は、ＭＡＴＬＡＢプログラム製剤処方用ソフトウェア（Ｍａｔｈｗｏｒｋｓ， Ｎａｔｉｃｋ， Ｍａｓｓａｃｈｕｓｅｔｔｓから市販）を用いて生成した。こうして生成した順列をマイクロソフトＥＸＣＥＬスプレッドシートにダウンロードして、このスプレッドシートから、当業者に公知である標準プログラミング法によってワークリストを作成した。ワークリストは次にＭＡＴＬＡＢによって生成された賦形剤とパクリタキセルの種々の順列を調製するようにＧｅｎｅｓｉｓ液体取扱い装置に指令するために使用される。ワークリストは、ＭＡＴＬＡＢプログラムの製剤処方アウトプットをＧｅｎｅｓｉｓの適切なコマンド（Ｇｅｎｅｓｉｓ操作取扱説明書に認められるように）と組み合わせてＧｅｎｅｓｉｓ装置によって直接に読み取りが可能であるファイルフォーマットにする。例えば、１２０の賦形剤原液との可能な特有の組み合わせ数は：
【０１２５】
【式１】
2004536026.tif 000031
【０１２６】
となり、総計２９５，２４０の独自の製剤を与える。製剤は、ＤＹＮＥＸ９６試料ウェルポリスチレンプレート（Ｔｈｅｒｍｏ Ｌａｂｓｙｓｔｅｍｓ Ｏｙ， Ｈｅｌｓｉｎｋｉ， Ｆｉｎｌａｎｄから市販）中で調製された。各試料ウェルは、２５０μｌの容量を有する。ＭＡＴＬＡＢプログラムによって生成された各試料製剤は、約１２μｌのパクリタキセル／エタノール溶液と約３０μｌの３種類の賦形剤原液を各試料ウェルに加えることによって、三重検試料として調製した。原液は、Ｇｅｎｅｓｉｓ液体取扱い装置（Ｔｅｃａｎ−ＵＳ， ＲＴＰ， ＮＣ）を用いて添加した。Ｇｅｎｅｓｉｓ液体取扱い装置を介して賦形剤を添加することによって供与される力は、成分を適切に混合するに十分であった。プレートをアルミニウムシーリングテープでシールして、５００ｎｍでＵＶプレートリーダー（ＳｐｅｃｔｒａＭａｘ Ｐｌｕｓ， Ｍｏｌｅｃｕｌａｒ Ｄｅｖｉｃｅｓ， Ｓｕｎｎｙｖａｌｅ， ＣＡ）上で測定する前に、２５℃で４８時間インキュベートした。
［結果］
全ての試料について５００ ｎｍにおける濁度として測定された、スクリーニングの結果は、データ解析と可視化プログラムＳｐｏｔｆｉｒｅ（Ｓｐｏｔｆｉｒｅ， Ｃａｍｂｒｉｄｇｅ， ＭＡ）にインポートされて、再現可能に（％標準偏差＜５％）０．０４５以下の吸光度を示す試料がヒットとして選択された。０．０４５以下の吸光度は、パクリタキセルが完全に溶解されこと、即ち、パクリタキセル濃度が１．２ｍｇ／ｍｌで、４８時間溶解されたままであったこと、を示す。
【０１２７】
選択された製剤をパクリタキセル可溶化剤の濃度と共に以下の表１７に一覧する。これらの例のそれぞれは、パクリタキセルを適切な注射可能な剤形に製剤処方するために容易に使用できる。
表１７のパクリタキセル製剤の化学的安定性は、Ｗａｔｅｒｓ９９６フォトダイオードアレイ検出器を装備するＷａｔｅｒ Ａｌｌｉａｎｃｅ ２７９０ ＨＰＬＣを用いて分析した。分離は、Ｐｈｅｎｏｍｅｎｅｘ Ｃｕｒｏｓｉｌ ペンタフルオロフェニルカラム（１５０×３．２ｍｍ， ３ｍ）上で、流速０．５ｍｌ／分でアイソクラティックに保持され、５５％水と４５％アセトニトリルから成る移動相を用いて行った。比較のためのパクリタキセル（０．１ｍｇ／ｍｌ）のコントロール溶液は、エタノール溶液である原液から、アセトニトリル中へのサブ希釈によって調製した。各パクリタキセル製剤は、ＨＰＬＣ分析前に約０．１ｍｇ／ｍｌ の濃度までアセトニトリルで希釈して、吸光度は２２９ｎｍで測定した。各製剤のクロマトグラフは、コントロール溶液と比較された。生理食塩水中、室温で４８時間のインキュベーション後でさえ、選択された製剤についてパクリタキセルの分解は観察されず、本発明の製剤の化学的安定性が立証された。表１６に一覧された４０の賦形剤についてこの一般方法を用いて、表１７に一覧の製剤は安定性があり、パクリタキセルを水性媒体に濃度１．２ｍｇ／ｍｌまで溶解することができるとして選択された。
【０１２８】
【表１７】
2004536026.tif 000032
【０１２９】
2004536026.tif 000033
【０１３０】
2004536026.tif 000034
【０１３１】
上記の表１７に一覧し、そして安定性のあるパクリタキセル溶液を生じる少なくとも１０の製剤に存在する賦形剤の種類は、本発明によるパクリタキセル可溶化剤として選択され（即ち、ＰＥＧ−ビタミンＥ類、第四級アンモニウム塩類、ＰＥＧ−モノ脂肪酸エステル類、ＰＥＧ−グリセリル脂肪酸エステル類、ポリソルベート類、およびＰＥＧ−脂肪族アルコール類）、第一に、それらがパクリタキセルを約１．２ｍｇ／ｍｌの濃度まで溶解した製剤中に存在していたからであり、第二には高頻度で出現することによって、それらが、パクリタキセルまたはその他の成分と相互作用して、水性媒体中でのパクリタキセルの溶解を促進するからである。
【０１３２】
【表１８】
2004536026.tif 000035
【０１３３】
好ましいパクリタキセル可溶化剤は、トコフェルソランのようなＰＥＧ−ビタミンＥ類、ポリソルベート８０および２０のようなポリソルベート類、モノオレイン酸ＰＥＧ−２０、モノラウリン酸ＰＥＧ−２０、およびモノステアリン酸ＰＥＧ−２０のようなＰＥＧ−モノ脂肪酸エステル類、モノオレイン酸ＰＥＧ−２０グリセリル、モノステアリン酸ＰＥＧ−２０グリセリル、およびモノラウリン酸ＰＥＧ−２０グリセリルのようなＰＥＧ−２０グリセリル脂肪酸エステル類、オクトキシノール（例：オクトキシノール−９）、オレス、およびラウレス（例：ラウレス−２３）のようなＰＥＧ−脂肪族アルコール類である。
【０１３４】
表１７のデータはさらに、パクリタキセル、その誘導体、ならびにその塩を溶解して投与するために有用な賦形剤の組み合わせを決定するために、本発明によるパクリタキセル可溶化剤（表１８）について分析された。
以下の表１９は、表１７の選択された製剤において成分としてＰＥＧ−ビタミンＥと共に高頻度（即ち、少なくとも４回）で出現した賦形剤を、賦形剤の種類と共に一覧する。
【０１３５】
【表１９】
2004536026.tif 000036
【０１３６】
上記の表１９のデータは、ＰＥＧ−ビタミンＥ類を、賦形剤の種類であるＰＥＧ−モノ脂肪酸エステル類、ＰＥＧ−グリセリル脂肪酸エステル類、ポリソルベート類、またはＰＥＧ−脂肪族アルコール類と併用すると、相互作用して、パクリタキセルの溶解に有用な製剤を供給することを実証する。
以下の表２０は、表１７の選択された製剤において成分として第四級アンモニウム塩と共に高頻度で出現した賦形剤を、賦形剤の種類と共に一覧する。
【０１３７】
【表２０】
2004536026.tif 000037
【０１３８】
上記の表２０のデータは、第四級アンモニウム塩を、賦形剤の種類であるポリソルベート類、またはＰＥＧ−脂肪族アルコール類と併用すると、相互作用して、パクリタキセルの溶解に有用な製剤を供給することを実証する。
以下の表２１は、表１７の選択された製剤において成分としてＰＥＧ−モノ脂肪酸エステルと共に高頻度で出現した賦形剤を、賦形剤の種類と共に一覧する。
【０１３９】
【表２１】
2004536026.tif 000038
【０１４０】
上記の表２１のデータは、ＰＥＧ−モノ脂肪酸エステル類を、賦形剤の種類であるＰＥＧ−ビタミンＥ類、ポリソルベート類、ＰＥＧ−脂肪族アルコール類、またはＰＥＧ−グリセリル脂肪酸エステル類と併用すると、相互作用して、パクリタキセルの溶解に有用な製剤を供給することを実証する。
以下の表２２は、表１７の選択された製剤において成分としてポリソルベートと共に高頻度で出現した賦形剤を、賦形剤の種類と共に一覧する。
【０１４１】
【表２２】
2004536026.tif 000039
【０１４２】
上記の表２２のデータは、ＰＥＧ−グリセリル脂肪酸エステル類を、賦形剤の種類であるＰＥＧ−ビタミンＥ類、ポリソルベート類、またはＰＥＧ−モノ脂肪酸エステル類と併用すると、相互作用して、パクリタキセルの溶解に有用な製剤を供給することを実証する。
以下の表２３は、表１７の選択された製剤において成分としてポリソルベートと共に高頻度で出現した賦形剤を、賦形剤の種類と共に一覧する。
【０１４３】
【表２３】
2004536026.tif 000040
【０１４４】
上記の表２３のデータは、ポリソルベート類を、賦形剤の種類であるＰＥＧ−ビタミンＥ類、第四級アンモニウム塩類、ＰＥＧ−モノ脂肪酸エステル類、ＰＥＧ−グリセリル脂肪酸エステル類、またはＰＥＧ−脂肪族アルコール類と併用すると、相互作用して、パクリタキセルの溶解に有用な製剤を供給することを実証する。
【０１４５】
以下の表２４は、表１７の選択された製剤において成分としてＰＥＧ−脂肪族アルコールと共に高頻度で出現した賦形剤を、賦形剤の種類と共に一覧する。
【０１４６】
【表２４】
2004536026.tif 000041
【０１４７】
上記の表２４のデータは、ＰＥＧ−脂肪族アルコール類を、賦形剤の種類であるＰＥＧ−ビタミンＥ類、第四級アンモニウム塩類、ＰＥＧ−モノ脂肪酸エステル類、またはポリソルベート類と併用すると、相互作用して、パクリタキセルの溶解に有用な製剤を供給することを実証する。
［実施例２：改善された水溶解度を有する濃縮液パクリタキセル製剤の調製］
次の濃縮液パクリタキセル製剤は、パクリタキセル、パクリタキセル可溶化剤、およびその他の成分を標準製剤処方を用いて混合して調製された。
【０１４８】
【表２５】
2004536026.tif 000042
【０１４９】
【表２６】
2004536026.tif 000043
【０１５０】
【表２７】
2004536026.tif 000044
【０１５１】
【表２８】
2004536026.tif 000045
【０１５２】
【表２９】
2004536026.tif 000046
【０１５３】
【表３０】
2004536026.tif 000047
【０１５４】
【表３１】
2004536026.tif 000048
【０１５５】
【表３２】
2004536026.tif 000049
【０１５６】
【表３３】
2004536026.tif 000050
【０１５７】
【表３４】
2004536026.tif 000051
【０１５８】
【表３５】
2004536026.tif 000052
【０１５９】
【表３６】
2004536026.tif 000053
【０１６０】
【表３７】
2004536026.tif 000054
【０１６１】
【表３８】
2004536026.tif 000055
【０１６２】
【表３９】
2004536026.tif 000056
【０１６３】
【表４０】
2004536026.tif 000057
【０１６４】
【表４１】
2004536026.tif 000058
【０１６５】
【表４２】
2004536026.tif 000059
【０１６６】
【表４３】
2004536026.tif 000060
【０１６７】
【表４４】
2004536026.tif 000061
【０１６８】
【表４５】
2004536026.tif 000062
【０１６９】
【表４６】
2004536026.tif 000063
【０１７０】
【表４７】
2004536026.tif 000064
【０１７１】
［実施例３：パクリタキセル製剤の動物ｐＫ試験］
以下の組成を有する本発明の２つの製剤を調製して、ラットにおけるＰＫ試験のために使用した。
試料Ｖ（製剤処方  Ｖ）：６ｍｇ／ｍＬのパクリタキセルを２９．４％のポリエチレングリコール４００、５２．９％のポリソルベート８０、１７．６％のエタノールおよび２．０ｍｇ／ｍＬのクエン酸に溶解した。
【０１７２】
試料Ｗ（製剤処方  Ｗ）：６ｍｇ／ｍＬのパクリタキセルを２９．４％のポリエチレングリコール４００、４８．５％のポリソルベート８０、２２．１％のエタノールおよび２．０ｍｇ／ｍＬのクエン酸に溶解した。
両試料とコントロール（市販のＴａｘｏｌ（商標））を、投与前に、滅菌生理食塩水で最終濃度が１ｍｇ／ｍＬになるように希釈した。Ｃｈａｒｌｅｓ Ｒｉｖｅｒ， Ｊａｐａｎから購入した６匹のオスＳｐｒａｇｕｅ−Ｄａｗｌｅｙラット（７週齢、各平均２７０ｇ）が実験群当たり使用された。２つの静脈内ボーラス単用量（５ｍｇ／ｋｇと１０ｍｇ／ｋｇ）を、１．５ｍＬ／分の注入速度で評価した。血漿試料を投与の０．０８３、０．５、１．０、２．０、３．０、４．０、８．０、および２４．０時間後に収集して、ＨＰＬＣ検定を行うまで−２０℃で保存した。
【０１７３】
各試料とコントロールについてのｐＫプロファイルを作成した。これらを図１〜４に示す。
その結果は、試料ＶとＷはラットにおいて極めて類似したＰＫプロファイルを有することを示す。この２つの製剤は、コントロールと比較して低いＡＵＣを有し、これはおそらくパクリタキセルとクレモフォール（登録商標）の間の論拠のしっかりした非線形薬物動態相互反応に拠る。
【０１７４】
１０ｍｇ／ｋｇ用量のコントロール群（タキソール（登録商標））ではラットは全て死亡した。対照的に、製剤ＶとＷを投与された動物は１０ｍｇ／ｋｇの高用量でさえ、耐容した。これらの結果は、製剤ＶとＷでは、タキソール（登録商標）と比べて、ラットにおいて安全性が改善されたことを示唆する。
前記は、本発明に関連する重要な特性を実証している。当業者は、多数の変形および実施形態が考案されるであろうことを理解しよう。したがって、付随の請求は、それら変形ならびに実施形態の全てをその範囲に含むことが意図されている。
【図面の簡単な説明】
【図１】
オスＳｐｒａｇｕｅ−Ｄａｗｌｅｙ ラットに５ｍｇ／ｋｇボーラス用量を投与した際に、１）市販のＴＡＸＯＬ（商標）（Ｂｒｉｓｔｏｌ−Ｍｙｅｒｓ Ｓｑｕｉｂｂ Ｃｏｍｐａｎｙ）、２）製剤処方Ｖ、ならびに３）製剤処方ＷのそれぞれについてのｐＫ（薬物動態）プロファイルの比較である。
【図２】
オスＳｐｒａｇｕｅ−Ｄａｗｌｅｙ ラットに１０ｍｇ／ｋｇボーラス用量を投与した際に、１）市販のＴＡＸＯＬ（商標）、２）製剤処方Ｖ、ならびに３）製剤処方ＷのそれぞれについてのｐＫプロファイルの比較である。
【図３】
オスＳｐｒａｇｕｅ−Ｄａｗｌｅｙ ラットにおける、１）５ｍｇ／ｋｇボーラス用量投与の際の製剤処方Ｖ、ならびに２）１０ｍｇ／ｋｇボーラス用量投与の際の製剤処方ＶのｐＫプロファイルの比較である。
【図４】
オスＳｐｒａｇｕｅ−Ｄａｗｌｅｙ ラットにおける、１）５ｍｇ／ｋｇボーラス用量投与の際の製剤処方Ｗ、ならびに２）１０ｍｇ／ｋｇボーラス用量投与の際の製剤処方ＷのｐＫプロファイルの比較である。
【図１】
2004536026.tif 000065
【図２】
2004536026.tif 000066
【図３】
2004536026.tif 000067
【図４】
2004536026.tif 000068
【国際公開パンフレット】
2004536026.tif 000069
2004536026.tif 000070
2004536026.tif 000071
2004536026.tif 000072
2004536026.tif 000073
2004536026.tif 000074
2004536026.tif 000075
2004536026.tif 000076
2004536026.tif 000077
2004536026.tif 000078
2004536026.tif 000079
2004536026.tif 000080
2004536026.tif 000081
2004536026.tif 000082
2004536026.tif 000083
2004536026.tif 000084
2004536026.tif 000085
2004536026.tif 000086
2004536026.tif 000087
2004536026.tif 000088
2004536026.tif 000089
2004536026.tif 000090
2004536026.tif 000091
2004536026.tif 000092
2004536026.tif 000093
2004536026.tif 000094
2004536026.tif 000095
2004536026.tif 000096
2004536026.tif 000097
2004536026.tif 000098
2004536026.tif 000099
2004536026.tif 000100
2004536026.tif 000101
2004536026.tif 000102
2004536026.tif 000103
2004536026.tif 000104
2004536026.tif 000105
2004536026.tif 000106
2004536026.tif 000107
2004536026.tif 000108
2004536026.tif 000109
2004536026.tif 000110
2004536026.tif 000111
2004536026.tif 000112
2004536026.tif 000113
2004536026.tif 000114
2004536026.tif 000115
2004536026.tif 000116
2004536026.tif 000117
2004536026.tif 000118
2004536026.tif 000119
2004536026.tif 000120
2004536026.tif 000121
2004536026.tif 000122
2004536026.tif 000123
2004536026.tif 000124
2004536026.tif 000125
2004536026.tif 000126
2004536026.tif 000127
2004536026.tif 000128
2004536026.tif 000129
2004536026.tif 000130
2004536026.tif 000131
2004536026.tif 000132
2004536026.tif 000133
2004536026.tif 000134
2004536026.tif 000135
2004536026.tif 000136
2004536026.tif 000137
【国際公開パンフレット（コレクトバージョン）】
2004536026.tif 000138
【国際公開パンフレット（コレクトバージョン）】
2004536026.tif 000139
2004536026.tif 000140
2004536026.tif 000141
2004536026.tif 000142
2004536026.tif 000143
2004536026.tif 000144
2004536026.tif 000145
2004536026.tif 000146
2004536026.tif 000147
2004536026.tif 000148
2004536026.tif 000149
2004536026.tif 000150
2004536026.tif 000151
2004536026.tif 000152
2004536026.tif 000153
2004536026.tif 000154
2004536026.tif 000155
2004536026.tif 000156
2004536026.tif 000157
2004536026.tif 000158
2004536026.tif 000159
2004536026.tif 000160
2004536026.tif 000161
2004536026.tif 000162
2004536026.tif 000163
2004536026.tif 000164
2004536026.tif 000165
2004536026.tif 000166
2004536026.tif 000167
2004536026.tif 000168
2004536026.tif 000169
2004536026.tif 000170
2004536026.tif 000171
2004536026.tif 000172
2004536026.tif 000173
2004536026.tif 000174
2004536026.tif 000175
2004536026.tif 000176
2004536026.tif 000177
2004536026.tif 000178
2004536026.tif 000179
2004536026.tif 000180
2004536026.tif 000181
2004536026.tif 000182
2004536026.tif 000183
2004536026.tif 000184
2004536026.tif 000185
2004536026.tif 000186
2004536026.tif 000187
2004536026.tif 000188
2004536026.tif 000189
2004536026.tif 000190
2004536026.tif 000191
2004536026.tif 000192
2004536026.tif 000193
2004536026.tif 000194
2004536026.tif 000195
2004536026.tif 000196
2004536026.tif 000197
2004536026.tif 000198
2004536026.tif 000199
2004536026.tif 000200
2004536026.tif 000201
2004536026.tif 000202
2004536026.tif 000203
2004536026.tif 000204
2004536026.tif 000205
2004536026.tif 000206
2004536026.tif 000207
【国際調査報告】
2004536026.tif 000208
2004536026.tif 000209
2004536026.tif 000210
2004536026.tif 000211
2004536026.tif 000212